(57)【要約】【課題】  本発明は、時間／周波数トラッキングのために用いられるＲＳ（例：ＴＲＳ）を設計（ｄｅｓｉｇｎ）する方法を提供することに目的がある。【解決手段】本明細書は、無線通信システム でＣＳＩ（Ｃｈａｎｎｅｌ  Ｓｔａｔｅ  Ｉｎｆｏｒｍａｔｉｏｎ）−ＲＳ（ｒｅｆｅｒｅｎｃｅ ｓｉｇｎａｌ）を送受信する方法を提供し、具体的に、基地局によって遂行される方法は、ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を設定する段階と、前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、前記設定された制御情報を端末に転送する段階と、前記全てのＣＳＩ−ＲＳリソース（ｒｅｓｏｕｒｃｅ）を介して、前記ＣＳＩ−ＲＳを前記端末に転送する段階とを含むことができる。  これを通じて、端末は、より正確な時間／周波数トラッキングを遂行することができるという効果がある。【選択図】図２０
2020519214.tif 000002
【特許請求の範囲】
【請求項１】
無線通信システムでＣＳＩ（Ｃｈａｎｎｅｌ  Ｓｔａｔｅ  Ｉｎｆｏｒｍａｔｉｏｎ）−ＲＳ（ｒｅｆｅｒｅｎｃｅ ｓｉｇｎａｌ）を転送する方法において、基地局によって遂行される方法は、
ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を設定する段階と、
前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、  前記設定された制御情報を端末に転送する段階と、
前記全てのＣＳＩ−ＲＳリソース（ｒｅｓｏｕｒｃｅ）を介して、前記ＣＳＩ−ＲＳを前記端末に転送する段階とを含む、方法。
【請求項２】
前記アンテナポートは１−ポートである、請求項１に記載の方法。
【請求項３】
前記端末はＲＲＣ連結状態（ｃｏｎｎｅｃｔｅｄ  ｓｔａｔｅ）の端末である、請求項１に記載の方法。
【請求項４】
前記ＣＳＩ−ＲＳは周期的（ｐｅｒｉｏｄｉｃ）ＣＳＩ−ＲＳである、請求項１に記載の方法。
【請求項５】
前記全てのＣＳＩ−ＲＳリソースは、同一の周期（ｐｅｒｉｏｄｉｃｉｔｙ）に設定される、請求項１に記載の方法。
【請求項６】
前記全てのＣＳＩ−ＲＳリソースは、一つのスロット（ｓｌｏｔ）または複数のスロットで設定される、請求項５に記載の方法。
【請求項７】
前記複数のスロットは、連続的な（ｃｏｎｓｅｃｕｔｉｖｅ）スロットである、請求項６に記載の方法。
【請求項８】
前記全てのＣＳＩ−ＲＳリソースが前記一つのスロットで設定される場合、前記全てのＣＳＩ−ＲＳリソースに対するシンボル位置（ｓｙｍｂｏｌ  ｌｏｃａｔｉｏｎ）は、互いに異なる、請求項６に記載の方法。
【請求項９】
前記全てのＣＳＩ−ＲＳリソースにＣＤＭ（ｃｏｄｅ  ｄｉｖｉｓｉｏｎ  ｍｕｌｔｉｐｌｅｘｉｎｇ）が適用されない、請求項２に記載の方法。
【請求項１０】
各ＣＳＩ−ＲＳリソースの周波数領域密度（ｄｅｎｓｉｔｙ）は１より大きい、請求項２に記載の方法。
【請求項１１】
前記ＣＳＩ−ＲＳリソースセット（ｒｅｓｏｕｒｃｅ  ｓｅｔ）は、前記トラッキング及びビーム管理（ｂｅａｍ  ｍａｎａｇｅｍｅｎｔ）の両方（ｂｏｔｈ）のためには設定されない、請求項１に記載の方法。
【請求項１２】
前記トラッキングのために用いられるＣＳＩ−ＲＳリソースは、ＣＳＩ獲得（ａｃｑｕｉｓｉｔｉｏｎ）のために用いられるＣＳＩ−ＲＳリソース、ビーム管理のために用いられるＣＳＩ−ＲＳリソースまたはＳＳＢ（ＳＳ／ＰＢＣＨブロック）とＱＣＬ（ｑｕａｓｉ  ｃｏ−ｌｏｃａｔｉｎｇ）設定される、請求項１に記載の方法。
【請求項１３】
前記ＣＳＩ−ＲＳと関連した時間領域測定制限（ｔｉｍｅ  ｄｏｍａｉｎ  ｍｅａｓｕｒｅｍｅｎｔ  ｒｅｓｔｒｉｃｔｉｏｎ）は、「オフ（ＯＦＦ）」に設定される、請求項１に記載の方法。
【請求項１４】
前記ＣＳＩ−ＲＳリソースセットは、報告設定（ｒｅｐｏｒｔ  ｓｅｔｔｉｎｇ）とリンケージ（ｌｉｎｋａｇｅ）が設定されない、請求項４に記載の方法。
【請求項１５】
前記ＣＳＩ−ＲＳリソースセットは、特定の報告設定（ｒｅｐｏｒｔ  ｓｅｔｔｉｎｇ）とリンケージ（ｌｉｎｋａｇｅ）が設定される、請求項１に記載の方法。
【請求項１６】
前記特定の報告設定（ｒｅｐｏｒｔ  ｓｅｔｔｉｎｇ）は、ナル報告設定（ｎｕｌｌ  ｒｅｐｏｒｔｉｎｇ  ｓｅｔｔｉｎｇ）である、請求項１５に記載の方法。
【請求項１７】
前記ＣＳＩ−ＲＳの時間領域（ｔｉｍｅ  ｄｏｍａｉｎ）に対する密度（ｄｅｎｓｉｔｙ）と関連した情報を前記端末から受信する段階をさらに含む、請求項１に記載の方法。
【請求項１８】
前記時間領域（ｔｉｍｅ  ｄｏｍａｉｎ）は、同一のスロット（ｓｌｏｔ）または連続的なスロットである、請求項１７に記載の方法。
【請求項１９】
無線通信システムで、 ＣＳＩ（Ｃｈａｎｎｅｌ  Ｓｔａｔｅ  Ｉｎｆｏｒｍａｔｉｏｎ）−ＲＳ（ｒｅｆｅｒｅｎｃｅ  ｓｉｇｎａｌ）を受信する方法において、端末によって遂行される方法は、
ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を基地局から受信する段階と、
前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、前記全てのＣＳＩ−ＲＳリソース（ｒｅｓｏｕｒｃｅ）を介して、前記ＣＳＩ−ＲＳを前記基地局から受信する段階と、
前記受信されたＣＳＩ−ＲＳに基づいて、時間または周波数のうちの少なくとも一つに対するトラッキングを遂行する段階とを含む、方法。
【請求項２０】
無線通信システムで、ＣＳＩ（Ｃｈａｎｎｅｌ  Ｓｔａｔｅ  Ｉｎｆｏｒｍａｔｉｏｎ）−ＲＳ（ｒｅｆｅｒｅｎｃｅ  ｓｉｇｎａｌ）を転送する基地局において、
無線信号を送受信するためのＲＦ（Ｒａｄｉｏ  Ｆｒｅｑｕｅｎｃｙ）モジュールと、
前記ＲＦモジュールと機能的に連結されているプロセッサを含み、
前記プロセッサは、
ＣＳＩ−ＲＳリソースセット（ｒｅｓｏｕｒｃｅ  ｓｅｔ）に含まれる全てのＣＳＩ−ＲＳのリソース（ｒｅｓｏｕｒｃｅ）に対するアンテナポートが同一であることを示す制御情報を設定し、
前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、
前記設定された制御情報を端末に転送し、
前記全てのＣＳＩ−ＲＳリソース（ｒｅｓｏｕｒｃｅ）を介して、前記ＣＳＩ−ＲＳを前記端末に転送するように設定される、基地局。
【発明の詳細な説明】
【技術分野】
【０００１】
本明細書は、無線通信システムに関し、より詳細にはチャンネル状態情報（ｃｈａｎｎｅｌ  ｓｔａｔｅ  ｉｎｆｏｒｍａｔｉｏｎ、ＣＳＩ）−参照信号（Ｒｅｆｅｒｅｎｃｅ  ｓｉｇｎａｌ、ＲＳ）を送受信する方法、及びこれを支援する装置に関する。
【背景技術】
【０００２】
移動通信システムは、ユーザの活動性を保証しつつ、音声サービスを提供するために開発された。しかし、移動通信システムは、音声だけでなく、データサービスまで領域を拡張し、現在は爆発的なトラフィックの増加により、資源の不足現象が引き起こされ、ユーザがより高速のサービスを要求するため、より発展した移動通信システムが求められている。
【０００３】
次世代移動通信システムの要求条件は、大きく爆発的なデータトラフィックの収容、ユーザ当たり転送率の画期的な増加、大幅に増加した連結デバイス数の収容、非常に低い端対端遅延（Ｅｎｄ−ｔｏ−Ｅｎｄ  Ｌａｔｅｎｃｙ）、高エネルギー効率を支援できなければならない。このために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明は、時間／周波数トラッキングのために用いられるＲＳ（例：ＴＲＳ）を設計（ｄｅｓｉｇｎ）する方法を提供することに目的がある。
【０００５】
また、本明細書は、ＴＲＳに対する設定（ｃｏｎｆｉｇｕｒａｔｉｏｎ）を明示的または暗示的に提供する方法を提案する。
【０００６】
本明細書で解決しようとする技術的課題は、以上で言及した技術的課題に制限されず、言及しないまた別の技術的課題は、以下の記載から本発明が属する技術分野で通常の知識を有する者に明確に理解されるべきである。
【課題を解決するための手段】
【０００７】
本明細書は、無線通信システムにおいてＣＳＩ−ＲＳを送受信する方法を提供する。
【０００８】
具体的に、基地局によって遂行される方法は、ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を設定する段階と、前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、前記設定された制御情報を端末に転送する段階と、前記全てのＣＳＩ−ＲＳリソース（ｒｅｓｏｕｒｃｅ）を介して、前記ＣＳＩ−ＲＳを前記端末に転送する段階とを含むことを特徴とする。
【０００９】
また、本明細書において、前記アンテナポートは１−ｐｏｒｔであることを特徴とする。
【００１０】
また、本明細書において、前記端末はＲＲＣ連結状態（ｃｏｎｎｅｃｔｅｄ  ｓｔａｔｅ）の端末であることを特徴とする。
【００１１】
また、本明細書において、前記ＣＳＩ−ＲＳは周期的（ｐｅｒｉｏｄｉｃ）ＣＳＩ−ＲＳであることを特徴とする。
【００１２】
また、本明細書において、前記全てのＣＳＩ−ＲＳリソースは、同一の周期（ｐｅｒｉｏｄｉｃｉｔｙ）に設定されることを特徴とする。
【００１３】
また、本明細書において、前記全てのＣＳＩ−ＲＳリソースは、一つのスロット（ｓｌｏｔ）または複数のスロットで設定されることを特徴とする。
【００１４】
また、本明細書において、前記複数のスロットは、連続的な（ｃｏｎｓｅｃｕｔｉｖｅ）スロットであることを特徴とする。
【００１５】
また、本明細書において、前記全てのＣＳＩ−ＲＳリソースが前記一つのスロットで設定される場合、前記全てのＣＳＩ−ＲＳリソースに対するシンボル位置（ｓｙｍｂｏｌ  ｌｏｃａｔｉｏｎ）は、互いに異なることを特徴とする。
【００１６】
また、本明細書において、前記全てのＣＳＩ−ＲＳリソースにＣＤＭ（ｃｏｄｅ  ｄｉｖｉｓｉｏｎ  ｍｕｌｔｉｐｌｅｘｉｎｇ）が適用されないことを特徴とする。
【００１７】
また、本明細書において、各ＣＳＩ−ＲＳリソースの周波数領域の密度（ｄｅｎｓｉｔｙ）は１より大きいことを特徴とする。
【００１８】
また、本明細書において、前記ＣＳＩ−ＲＳリソースセット（ｒｅｓｏｕｒｃｅ  ｓｅｔ）は、前記トラッキング及びビーム管理（ｂｅａｍ  ｍａｎａｇｅｍｅｎｔ）の両方（ｂｏｔｈ）のためには設定されないことを特徴とする。
【００１９】
また、本明細書において、前記トラッキングのために用いられるＣＳＩ−ＲＳリソースは、ＣＳＩ獲得（ａｃｑｕｉｓｉｔｉｏｎ）のために用いられるＣＳＩ−ＲＳリソース、ビーム管理のために用いられるＣＳＩ−ＲＳリソースまたはＳＳＢ（ＳＳ／ＰＢＣＨブロック）とＱＣＬ（ｑｕａｓｉ  ｃｏ−ｌｏｃａｔｉｎｇ）設定されることを特徴とする。
【００２０】
また、本明細書において、前記ＣＳＩ−ＲＳと関連した時間領域測定制限（ｔｉｍｅ  ｄｏｍａｉｎ  ｍｅａｓｕｒｅｍｅｎｔ  ｒｅｓｔｒｉｃｔｉｏｎ）は、「オフ（ＯＦＦ）」に設定されることを特徴とする。
【００２１】
また、本明細書において、前記ＣＳＩ−ＲＳリソースセットは、報告設定（ｒｅｐｏｒｔ  ｓｅｔｔｉｎｇ）とリンケージ（ｌｉｎｋａｇｅ）が設定されないことを特徴とする。
【００２２】
また、本明細書において、前記ＣＳＩ−ＲＳリソースセットは、特定の報告設定（ｒｅｐｏｒｔ  ｓｅｔｔｉｎｇ）とリンケージ（ｌｉｎｋａｇｅ）が設定されることを特徴とする。
【００２３】
また、本明細書において、前記特定の報告設定（ｒｅｐｏｒｔ  ｓｅｔｔｉｎｇ）は、ヌル報告設定（ｎｕｌｌ  ｒｅｐｏｒｔｉｎｇ  ｓｅｔｔｉｎｇ）であることを特徴とする。
【００２４】
また、本明細書において、前記方法は、前記ＣＳＩ−ＲＳの時間領域（ｔｉｍｅ  ｄｏｍａｉｎ）に対する密度（ｄｅｎｓｉｔｙ）と関連した情報を前記端末から受信する段階をさらに含むことを特徴とする。
【００２５】
また、本明細書において、前記時間領域（ｔｉｍｅ  ｄｏｍａｉｎ）は、同一のスロット（ｓｌｏｔ）または連続的なスロットであることを特徴とする。
【００２６】
また、本明細書は、無線通信システムで、ＣＳＩ（Ｃｈａｎｎｅｌ  Ｓｔａｔｅ  Ｉｎｆｏｒｍａｔｉｏｎ）−ＲＳ（ｒｅｆｅｒｅｎｃｅ  ｓｉｇｎａｌ）を受信する方法において、端末によって遂行される方法は、ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を基地局から受信する段階と、前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、前記全てのＣＳＩ−ＲＳ  ＣＳＩ−ＲＳリソース（ｒｅｓｏｕｒｃｅ）を介して、前記ＣＳＩ−ＲＳを前記基地局から受信する段階と、前記受信されたＣＳＩ−ＲＳに基づいて、時間または周波数のうちの少なくとも一つに対するトラッキングを遂行する段階とを含むことを特徴とする。
【００２７】
また、本明細書において、無線通信システムで、ＣＳＩ（Ｃｈａｎｎｅｌ  Ｓｔａｔｅ  Ｉｎｆｏｒｍａｔｉｏｎ）−ＲＳ（ｒｅｆｅｒｅｎｃｅ  ｓｉｇｎａｌ）を転送する基地局において、無線信号を送受信するためのＲＦ（Ｒａｄｉｏ  Ｆｒｅｑｕｅｎｃｙ）モジュールと、前記ＲＦモジュールと機能的に連結されているプロセッサを含み、前記プロセッサは、ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を設定し、前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられ、前記設定された制御情報を端末に転送し、前記全てのＣＳＩ−ＲＳリソース（ｒｅｓｏｕｒｃｅ）を介して、前記ＣＳＩ−ＲＳを前記端末に転送するように設定されることを特徴とする。
【発明の効果】
【００２８】
本明細書は、ＴＲＳを新たに定義し、端末の時間／周波数トラッキングをより正確に遂行することができるようにする。
【００２９】
本発明で得ることができる効果は、以上で言及した効果に制限されず、言及しないまた別の効果は、以下の記載から本発明が属する技術分野で通常の知識を有する者に明確に理解されるべきである。
【図面の簡単な説明】
【００３０】
本発明に関する理解を助けるために詳細な説明の一部に含まれる、添付図は、本発明に対する実施例を提供し、詳細な説明と共に本発明の技術的特徴を説明する。
【００３１】
【図１】本明細書で提案する方法が適用されることができるＮＲの全体的なシステム構造の一例を示す図である。
【図２】本明細書で提案する方法が適用されることができる無線通信システムでアップリンクフレームとダウンリンクフレームとの間の関係を示す。
【図３】本明細書で提案する方法が適用されることができる無線通信システムで支援するリソースグリッド（ｒｅｓｏｕｒｃｅ  ｇｒｉｄ）の一例を示す。
【図４】本明細書で提案する方法が適用されることができる自己完結的（ｓｅｌｆ−ｃｏｎｔａｉｎｅｄ）サブフレームの構造の一例を示す。
【図５】本発明が適用されることができる無線通信システムにおけるトランシーバーユニットのモデルを例示する。
【図６】ＣＳＩ関連手続の一例を示すフローチャートである。
【図７】ビーム関連測定モデルの一例を示す概念図である。
【図８】ＤＬ  ＢＭ手続関連のＴｘビームの一例を示す図である。
【図９】ＳＳＢを用いたＤＬ  ＢＭ手続の一例を示すフローチャートである。
【図１０】ＣＳＩ−ＲＳを用いたＤＬ  ＢＭ手続の一例を示す図である。
【図１１】端末の受信ビーム決定過程の一例を示すフローチャート図である。
【図１２】基地局の転送ビーム決定過程の一例を示すフローチャートである。
【図１３】図１０の動作と関連した時間及び周波数領域でのリソース割り当ての一例を示す図である。
【図１４】ＳＲＳを用いたＵＬ  ＢＭ手続の一例を示す図である。
【図１５】ＳＲＳを用いたＵＬ  ＢＭ手続の一例を示すフローチャートである。
【図１６】ＰＵＳＣＨベースのＣＳＩ報告の情報ペイロード（ｐａｙｌｏａｄ）の一例を示す。
【図１７】短いＰＵＣＣＨベースのＣＳＩ報告の情報ペイロードに対する一例を示す。
【図１８】長いＰＵＣＣＨベースのＣＳＩ報告の情報ｐａｙｌｏａｄに対する一例を示す。
【図１９】ビーム失敗復旧手続の一例を示すフローチャートである。
【図２０】本明細書で提案する時間／周波数トラッキングのための基地局の動作を示すフローチャートである。
【図２１】本明細書で提案する時間／周波数トラッキングのための端末の動作を示すフローチャートである。
【図２２】本明細書で提案する方法が適用されることができる無線通信装置のブロック構成図を例示する。
【図２３】本発明の一実施例に係る通信装置のブロック構成図を例示する。
【図２４】本明細書で提案する方法が適用されることができる無線通信装置のＲＦモジュールの一例を示す図である。
【図２５】本明細書で提案する方法が適用されることができる無線通信装置のＲＦモジュールのまた別の一例を示す図である。
【発明を実施するための形態】
【００３２】
以下、本発明に係る好ましい実施形態を添付図を参照として詳細に説明する。添付図と共に以下に開示する詳細な説明は、本発明の例示的な実施形態を説明しようとするものであり、本発明が実施されることができる唯一な実施形態を示しようとするものではない。以下の詳細な説明は、本発明の完全な理解を提供するために具体的な細部事項を含む。しかし、当業者は、本発明がこのような具体的な細部事項なくとも、実施されることができるということを知っている。
【００３３】
いくつかの場合、本発明の概念が曖昧になることを避けるために、公知の構造及び装置は省略されるか、各構造及び装置の中核機能を中心としたブロック図の形式で示すことができる。
【００３４】
本明細書で、基地局は端末と直接的に通信を遂行するネットワークの終端ノード（ｔｅｒｍｉｎａｌ  ｎｏｄｅ）としての意味を有する。本文書で基地局によって遂行されるものと説明された特定の動作は、場合によっては基地局の上位ノード（ｕｐｐｅｒ  ｎｏｄｅ）によって遂行されてもよい。すなわち、基地局を含む多数のネットワークノード（ｎｅｔｗｏｒｋ  ｎｏｄｅｓ）からなるネットワークで端末との通信のために遂行される多様な動作は、基地局又は基地局以外の他のネットワークノードによって遂行され得ることは自明である。「基地局（ＢＳ：Ｂａｓｅ Ｓｔａｔｉｏｎ）」は、固定局（ｆｉｘｅｄ ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｇｅｎｅｒａｌ  ＮＢ）等の用語によって代替し得る。また、「端末（Ｔｅｒｍｉｎａｌ）」は、固定又は移動性を有し得、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ ｔｅｒｍｉｎａｌ）, ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ)、 ＭＴＣ（Ｍａｃｈｉｎｅ−Ｔｙｐｅ  ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置等の用語に代替し得る。
【００３５】
以下で、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクで、送信機は基地局の一部であり、受信機は端末の一部であり得る。アップリンクで、送信機は端末の一部であり、受信機は基地局の一部であり得る。
【００３６】
以下の説明で使用される特定の用語は、本発明の理解を助けるために提供され、このような特定用語の使用は、本発明の技術的思想を外れない範囲で他の形態に変更され得る。
【００３７】
以下の技術は、ＣＤＭＡ(ｃｏｄｅ  ｄｉｖｉｓｉｏｎ  ｍｕｌｔｉｐｌｅ ａｃｃｅｓｓ)、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ(ｔｉｍｅ  ｄｉｖｉｓｉｏｎ  ｍｕｌｔｉｐｌｅ  ａｃｃｅｓｓ)、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ ｍｕｌｔｉｐｌｅ  ａｃｃｅｓｓ)、ＮＯＭＡ（ｎｏｎ−ｏｒｔｈｏｇｏｎａｌ  ｍｕｌｔｉｐｌｅ  ａｃｃｅｓｓ）等のような様々な無線接続システムに用いられることができる。ＣＤＭＡはＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１ （Ｗｉ−Ｆｉ）、ＩＥＥＥ ８０２．１６ （ＷｉＭＡＸ）、ＩＥＥＥ ８０２−２０、Ｅ−ＵＴＲＡ（ｅｖｏｌｖｅｄ ＵＴＲＡ）等のような無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ ｔｅｒｍ ｅｖｏｌｕｔｉｏｎ）は、Ｅ−ＵＴＲＡを用いるＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３８】
本発明の実施例は、無線接続システムであるＩＥＥＥ  ８０２、３ＧＰＰ、及び３ＧＰＰ２のうち少なくとも一つに開示された標準文書によって裏付けられることができる。すなわち、本発明の実施例のうち、本発明の技術的思想を明確に示すために説明していない段階または部分は、前記文書により裏付けられることができる。また、本文書で開示している全ての用語は、前記標準文書によって説明されることができる。
【００３９】
説明を明確にするために、３ＧＰＰ  ＬＴＥ／ＬＴＥ−Ａを中心に記述するが、本発明の技術的特徴がこれに制限されるわけではない。
用語の定義
【００４０】
eLTE eNB：eLTE eNBは、EPC（Evolved Packet Core）及びNGC（Next Generation Core）に対する連結を支援するeNBの進化（evolution）である。
【００４１】
gNB：NGCとの連結だけでなく、NRを支援するノード。
【００４２】
新たなRAN：NRまたはE-UTRAを支援するか、またはNGCと相互作用する無線アクセスネットワーク。
【００４３】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００４４】
ネットワーク機能（network function）：ネットワーク機能は、よく定義された外部インターフェースとよく定義された機能的動作を有するネットワークインフラ内での論理的ノード。
【００４５】
NG-C：新たなRANとNGCとの間のNG２レファレンスポイント（reference point）に使われる制御平面インターフェース。
【００４６】
NG-U：新たなRANとNGCとの間のNG３レファレンスポイント（reference point）に使われるユーザ平面インターフェース。
【００４７】
非独立型（Non-standalone）NR：gNBがLTE eNBをEPCに制御プレーン連結のためのアンカーとして要求するか、またはeLTE eNBをNGCに制御プレーン連結のためのアンカーとして要求する配置構成。
【００４８】
非独立型E-UTRA：eLTE eNBがNGCに制御プレーン連結のためのアンカーとしてgNBを要求する配置構成。
【００４９】
ユーザ平面ゲートウェイ：NG-Uインターフェースの終端点。
システム一般
【００５０】
図１は、本明細書で提案する方法が適用できるNRの全体的なシステム構造の一例を示した図である。
【００５１】
図１を参照すると、NG-RANはNG-RAユーザ平面（新たなAS sublayer／PDCP／RLC／MAC／PHY）及びUE（User Equipment）に対する制御平面（RRC）プロトコル終端を提供するgNBで構成される。
【００５２】
前記gNBは、Xnインターフェースを通じて相互連結される。
【００５３】
また、前記gNBは、NGインターフェースを通じてNGCに連結される。
【００５４】
より具体的には、前記gNBはN２インターフェースを通じてAMF（Access and Mobility Management Function）に、N３インターフェースを通じてUPF（User Plane Function）に連結される。
【００５５】
NRヌメロロジー（Numerology）及びフレーム（frame）構造
【００５６】
NRシステムでは、多数のヌメロロジー（numerology）が支援できる。ここで、ヌメロロジーはサブキャリア間隔（subcarrier spacing）とCP（Cyclic Prefix）オーバーヘッドにより定義できる。この際、多数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立に選択できる。
【００５７】
また、NRシステムでは多数のヌメロロジーに従う多様なフレーム構造が支援できる。
【００５８】
以下、NRシステムで考慮できるOFDM（Orthogonal Frequency Division Multiplexing）ヌメロロジー及びフレーム構造を説明する。
【００５９】
NRシステムで支援される多数のOFDMヌメロロジーは、表１のように定義できる。
【００６０】
【表１】
2020519214.tif 000003
【００６１】
NRシステムにおけるフレーム構造（frame structure）と関連して、時間領域の多様なフィールドのサイズは
2020519214.tif 000004
の時間単位の倍数として表現される。
【００６２】
ここで、
2020519214.tif 000005
であり、
2020519214.tif 000006
である。ダウンリンク（downlink）及びアップリンク（uplink）転送は
2020519214.tif 000007
の区間を有する無線フレーム（radio frame）で構成される。ここで、無線フレームは各々
2020519214.tif 000008
の区間を有する１０個のサブフレーム（subframe）で構成される。
【００６３】
この場合、アップリンクに対する１セットのフレーム及びダウンリンクに対する１セットのフレームが存在することができる。
【００６４】
図２は、本明細書で提案する方法が適用できる無線通信システムにおけるアップリンクフレームとダウンリンクフレームとの間の関係を示す。
【００６５】
図２に示すように、端末（User Equipment、UE）からのアップリンクフレーム番号iの転送は、
【００６６】
該当端末での該当ダウンリンクフレームの開始より
2020519214.tif 000009
以前に始めなければならない。
【００６７】
ヌメロロジーμに対して、スロット（slot）はサブフレーム内で
2020519214.tif 000010
の増加する順に番号が付けられて、無線フレーム内で
2020519214.tif 000011
の増加する順に番号が付けられる。１つのスロットは
2020519214.tif 000012
の連続するOFDMシンボルで構成され、
2020519214.tif 000013
は用いられるヌメロロジー及びスロット設定（slot configuration）によって決定される。サブフレームでスロット
2020519214.tif 000014
の開始は同一サブフレームでOFDMシンボル
2020519214.tif 000015
の開始と時間的に整列される。
【００６８】
全ての端末が同時に送信及び受信できるものではなく、これはダウンリンクスロット（downlink slot）またはアップリンクスロット（uplink slot）の全てのOFDMシンボルが利用できないことを意味する。
【００６９】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００７０】
【表２】
2020519214.tif 000016
【００７１】
【表３】
2020519214.tif 000017
【００７２】
NR物理資源（NR Physical Resource）
【００７３】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００７４】
以下、NRシステムで考慮できる前記物理資源に対して具体的に説明する。
【００７５】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasico-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００７６】
図３は、本明細書で提案する方法が適用できる無線通信システムで支援する資源グリッド（resource grid）の一例を示す。
【００７７】
図３を参考すると、資源グリッドが周波数領域上に
2020519214.tif 000018
サブキャリアで構成され、１つのサブフレームが１４・２μOFDMシンボルで構成されることを例示的に記述するが、これに限定されるものではない。
【００７８】
NRシステムにおいて、転送される信号（transmitted signal）は
2020519214.tif 000019
サブキャリアで構成される１つまたはその以上の資源グリッド及び
2020519214.tif 000020
のOFDMシンボルにより説明される。
【００７９】
ここで、
2020519214.tif 000021
である。前記
2020519214.tif 000022
は最大転送帯域幅を示し、これは、ヌメロロジーだけでなく、アップリンクとダウンリンクとの間にも変わることができる。
【００８０】
この場合、図３のように、ヌメロロジーμ及びアンテナポートｐ別に１つの資源グリッドが設定できる。
【００８１】
ヌメロロジーμ及びアンテナポートｐに対する資源グリッドの各要素は資源要素（resource element）と称され、インデックス対
2020519214.tif 000023
により固有的に識別される。ここで、
2020519214.tif 000024
は周波数領域上のインデックスであり、
2020519214.tif 000025
はサブフレーム内でシンボルの位置を称する。
【００８２】
スロットで資源要素を称する時には、インデックス対
2020519214.tif 000026
が用いられる。
【００８３】
ここで、
2020519214.tif 000027
である。ヌメロロジーμ及びアンテナポートｐに対する資源要素
2020519214.tif 000028
は複素値（complex value）
2020519214.tif 000029
に該当する。混同（confusion）する危険がない場合、または特定アンテナポートまたはヌメロロジーが特定されない場合には、インデックスｐ及びμはドロップ（drop）されることができ、その結果、複素値は
2020519214.tif 000030
または
2020519214.tif 000031
になることができる。また、物理資源ブロック（physical resource block）は周波数領域上の
2020519214.tif 000032
連続的なサブキャリアとして定義される。周波数領域上で、物理資源ブロックは０から
2020519214.tif 000033
まで番号が付けられる。この際、周波数領域上の物理資源ブロック番号（physical resource block number）
2020519214.tif 000034
と資源要素
2020519214.tif 000035
との間の関係は、数式１のように与えられる。
【００８４】
【数１】
2020519214.tif 000036
【００８５】
また、キャリアパート（carrier part）と関連して、端末は資源グリッドのサブセット（subset）のみを用いて受信または転送するように設定できる。
【００８６】
この際、端末が受信または転送するように設定された資源ブロックの集合（set）は周波数領域上で０から
2020519214.tif 000037
まで番号が付けられる。
【００８７】
自己完備（Self-contained）サブフレーム構造
【００８８】
図４は、本発明が適用できる無線通信システムにおける自己完備（Self-contained）サブフレーム構造を例示する図である。
【００８９】
ＴＤＤシステムにおけるデータ転送レイテンシー（latency）を最小化するために５世帯（５G：5generation）new RATでは図４のような自己完備（self-contained）サブフレーム構造を考慮している。
【００９０】
図４で斜線を施した領域（シンボルインデックス０）はダウンリンク（DL）制御領域を示し、黒色部分（シンボルインデックス１３）はアップリンク（UL）制御領域を示す。陰影表示のない領域はDLデータ転送のために使われることもでき、またはULデータ転送のために使われることもできる。このような構造の特徴は、１つのサブフレーム内でDL転送とUL転送が順次に進行されて、サブフレーム内でDLデータが転送され、UL ACK／NACKも受信できる。結果的に、データ転送エラー発生時にデータ再転送までかかる時間を減らすようになり、これによって、最終データ伝達のlatencyを最小化することができる。
【００９１】
このようなself-containedサブフレーム構造で、基地局とUEが送信モードから受信モードへの転換過程、または受信モードから送信モードへの転換過程のための時間ギャップ（time gap）が必要である。このためにself-containedサブフレーム構造で、DLからULに転換される時点の一部OFDMシンボルがガード区間（GP：guard period）に設定されるようになる。
【００９２】
アナログビームフォーミング（Analog beamforming）
【００９３】
ミリメートル波（Millimeter Wave、mmW）では波長が短くなって同一面積に多数個のアンテナ要素（antenna element）の設置が可能である。即ち、３０GHz帯域で波長は１ｃｍであって、４X４（４by４）ｃｍのパネル（panel）に０．５ラムダ（lambda）（即ち、波長）間隔で２−次元配列形態に総６４（８x８）のantenna element設置が可能である。したがって、mmWでは多数個のantenna elementを使用してビームフォーミング（BF：beamforming）利得を高めてカバレッジを増加させるか、または歩留り（throughput）を高めようとする。
【００９４】
この場合にantenna element別に転送パワー及び位相調節が可能であるようにトランシーバーユニット（TXRU：Transceiver Unit）を有すれば、周波数資源別に独立したビームフォーミングが可能である。しかしながら、１００余個のantenna element全てにTXRUを設置するには価格面で実効性が落ちる問題を有するようになる。
【００９５】
したがって、１つのTXRUに多数個のantenna elementをマッピングし、アナログ位相シフター（analog phase shifter）でビーム（beam）の方向を調節する方式が考慮されている。このようなanalog BF方式は全帯域で１つのbeam方向のみを作ることができるので、周波数選択的BFを行うことができないという短所がある。
【００９６】
デジタル（Digital）BFとanalog BFの中間形態に、Q個のantenna elementより少ない個数であるB個のTXRUを有するハイブリッドビームフォーミング（hybrid BF）を考慮することができる。この場合にB個のTXRUとQ個のantenna elementの連結方式によって差はあるが、同時に転送することができるbeamの方向はB個以下に制限される。
【００９７】
以下、図面を参照してTXRUとantenna elementの連結方式の代表的な一例を説明する。
【００９８】
図５は、本発明が適用できる無線通信システムにおけるトランシーバーユニットモデルを例示する。
【００９９】
TXRU仮想化（virtualization）モデルはTXRUの出力信号とantenna elementsの出力信号との関係を示す。antenna elementとTXRUとの相関関係によって図５（ａ）のようにTXRU仮想化（virtualization）モデルオプション−１：サブ−配列分割モデル（sub-array partition model）と、図５（ｂ）のようにTXRU仮想化モデルオプション−２：全域連結（full-connection）モデルとに区分できる。
【０１００】
図５（ａ）を参照すると、サブ−配列分割モデル（sub-array partition model）の場合、antenna elementは多重のアンテナ要素グループに分割され、各TXRUはグループのうちの１つと連結される。この場合にantenna elementは１つのTXRUのみに連結される。
【０１０１】
図５（ｂ）を参照すると、全域連結（full-connection）モデルの場合、多重のTXRUの信号が結合されて単一のアンテナ要素（または、アンテナ要素の配列）に伝達される。即ち、TXRUが全てのアンテナelementに連結された方式を示す。この場合に、アンテナelementは全てのTXRUに連結される。
【０１０２】
図５で、ｑは１つの列（column）内のM個のような偏波（co-polarized）を有するアンテナ要素の送信信号ベクトルである。wは広域TXRU仮想化加重値ベクトル（wideband TXRU virtualization weight vector）であり、Wはアナログ位相シフター（analog phase shifter）により掛けられる位相ベクトルを示す。即ち、Wによりanalog beamformingの方向が決定される。xは、M_TXRU個のTXRUの信号ベクトルである。
【０１０３】
ここで、アンテナポートとTXRUとのマッピングは、一対一（1-to-1）または一対多（1-to-many）でありうる。
【０１０４】
図５で、TXRUとアンテナ要素との間のマッピング（TXRU-to-element mapping）は１つの例示を示すものであり、本発明はこれに限定されるものではなく、ハードウェア観点で、その他の多様な形態に具現できるTXRUとアンテナ要素との間のマッピングにも本発明が同一に適用できる。
【０１０５】
チャンネル状態情報フィードバック（CSI feedback）
【０１０６】
LTEシステムを含んだ大部分のcellular systemで、端末はチャンネル推定のためのパイロット信号（reference signal）を基地局から受信してCSI（channel state information）を計算し、これを基地局に報告する。
【０１０７】
基地局は端末からフィードバックを受けたCSI情報に基づいてデータ信号を転送する。
【０１０８】
LTEシステムにおける端末がフィードバックするCSI情報にはCQI（channel quality information）、PMI（precoding matrix index）、RI（rank indicator）がある。
【０１０９】
CQIフィードバックは基地局がデータを転送する時、どんなMCS（modulation & coding scheme）を適用するかに対するガイドを提供しようとする目的（link adaptation用途）で基地局に提供する無線チャンネル品質情報である。
【０１１０】
基地局と端末との間に無線品質が高ければ、端末は高いCQI値をフィードバックして、基地局は相対的に高いmodulation orderと低いchannel coding rateを適用してデータを転送し、反対の場合、端末は低いCQI値をフィードバックして基地局は相対的に低いmodulation orderと高いchannel coding rateを適用してデータを転送する。
【０１１１】
PMIフィードバックは、基地局が多重アンテナを設置した場合、どんなMIMO precoding schemeを適用するかに対するガイドを提供しようとする目的で基地局に提供するpreferred precoding matrix情報である。
【０１１２】
端末は、パイロット信号から基地局と端末との間のdownlink MIMO channelを推定して、基地局がどんなMIMO precodingを適用すればいいのかをPMIフィードバックを通じて推薦する。
【０１１３】
LTEシステムではPMI構成において行列形態に表現可能なlinear MIM Oprecodingのみ考慮する。
【０１１４】
基地局と端末は多数のprecoding行列で構成されたコードブックを共有しており、コードブック内に各々のMIMO precoding行列は固有のindexを有している。
【０１１５】
したがって、端末はコードブック内で最も好むMIMO precoding行列に該当するインデックスをPMIとしてフィードバックすることによって、端末のフィードバック情報量を最小化する。
【０１１６】
PMI値が必ずしも１つのインデックスのみからなるべきではない。一例に、LTEシステムで送信アンテナポート数が８個である場合、２つのインデックス（first PMI & second PMI）を結合しなければ、最終的な8tx MIMO precoding行列を導出できないように構成されている。
【０１１７】
RIフィードバックは、基地局と端末が多重アンテナを設置してspatial multiplexingを通じてのmulti-layer転送可能な場合、端末が好む転送layerの数に対するガイドを提供しようとする目的で基地局に提供する好む転送layer数に対する情報である。
【０１１８】
RIは、PMIと非常に密接な関係を有する。それは転送レイヤ数によって基地局は各々のレイヤにどんなprecodingを適用しなければならないのか分からなければならないためである。
【０１１９】
PMI／RIフィードバック構成において、single layer転送を基準にPMIコードブックを構成した後、layer別にPMIを定義してフィードバックすることができるが、このような方式は転送レイヤの数の増加によってPMI／RIフィードバック情報量が格段に増加する短所がある。
【０１２０】
したがって、LTEシステムでは各々の転送レイヤの数に従うPMIコードブックを定義した。即ち、R-layer転送のためにサイズNt x R行列のN個をコードブック内に定義する（ここで、Rはlayer数、Ntは送信アンテナポート数、Nはコードブックのサイズ）。
【０１２１】
したがって、LTEでは転送レイヤの数に関わらず、PMIコードブックのサイズが定義される。結局、このような構造でPMI／RIを定義するので、転送レイヤ数（R）は、結局、precoding行列（Nt x R行列）のrank値と一致するようになるので、rank indicator（RI）という用語を使用するようになった。
【０１２２】
本明細書で記述されるPMI／RIは、必ずしもLTEシステムにおけるPMI／RIのようにNt x R行列で表現されるprecoding行列のインデックス値とprecoding行列のrank値を意味するものに制限されるものではない。
【０１２３】
本明細書に記述されるPMIは転送端で適用可能なMIMO precoderのうち、好むMIMO precoder情報を示すものであって、そのprecoderの形態がLTEシステムでのように行列で表現可能なlinear precoderのみに限定されるものではない。また、本明細書で記述されるRIはLTEでのRIより広い意味で、好む転送レイヤ数を示すフィードバック情報を全て含む。
【０１２４】
CSI情報は全体システム周波数領域で求められることもでき、一部の周波数領域で求められることもできる。特に、広帯域システムでは端末別に好む一部の周波数領域（e. g. subband）に対するCSI情報を求めてフィードバックすることが有用でありうる。
【０１２５】
LTEシステムでCSIフィードバックは、uplinkチャンネルを通じてなされるが、一般的に、周期的なCSIフィードバックはPUCCH（physical uplink control channel）を通じてなされ、非周期的なCSIフィードバックはuplink dataチャンネルであるPUSCH（physical uplink shared channel）を通じてなされる。
【０１２６】
非周期的なCSIフィードバックは、基地局がCSIフィードバック情報を希望する時のみに一時的にフィードバックすることを意味するものであって、基地局がPＤCCH／ePＤCCHのようなdownlink control channelを通じてCSIフィードバックをtriggerする。
【０１２７】
LTEシステムでは、CSIフィードバックがtriggerされた時、端末がどんな情報をフィードバックしなければならないかが図８のようにPUSCH CSI reporting modeに区分されており、端末がどんなPUSCH CSI reporting modeで動作すべきかは上位階層メッセージを通じて端末に予め知らせる。
【０１２８】
CSI関連手続（Channel State Information related Procedure）
【０１２９】
NRシステムで、CSI-RS（channel state information-reference signal）は時間及び／又は周波数トラッキング（time/frequency tracking）、CSI計算（computation）、L１（layer 1）-RSRP（reference signal received power）計算（computation）、及び移動性（mobility）のために使われる。
【０１３０】
本明細書で使われる‘A及び／又はB’と‘A／B’は‘AまたはBのうちの少なくとも１つを含む’と同一な意味として解釈できる。
【０１３１】
前記CSI computationはCSI獲得（acquisition）と関連し、L1-RSRP computationはビーム管理（beam measurement、BM）と関連する。
【０１３２】
CSI（channel state information）は、端末とアンテナポートとの間に形成される無線チャンネル（または、リンクともいう）の品質を示すことができる情報を通称する。
【０１３３】
CSI関連手続に対する端末の動作に対して説明する。
【０１３４】
図６は、CSI関連手続の一例を示したフローチャートである。
【０１３５】
前記のようなCSI-RSの用途のうちの１つを遂行するために、端末（例：user equipment、UE）はCSIと関連した設定（configuration）情報をRRC（radio resource control）signalingを通じて基地局（例：general Node B、gNB）から受信する（Ｓ６１０）。
【０１３６】
前記CSIと関連したconfiguration情報はCSI-IM（interference measurement）資源（resource）関連情報、CSI測定設定（measurement configuration）関連情報、CSI資源設定（resource configuration）関連情報、CSI-RS資源（resource）関連情報、またはCSI報告設定（report configuration）関連情報のうち、少なくとも１つを含むことができる。
【０１３７】
前記CSI-IM資源関連情報は、CSI-IM資源情報（resource information）、CSI-IM資源セット情報（resource set information）などを含むことができる。
【０１３８】
CSI-IM resource setはCSI-IM resource set ID（identifier）により識別され、１つのresource setは少なくとも１つのCSI-IM resourceを含む。
【０１３９】
各々のCSI-IM resourceは、CSI-IM resourceIDにより識別される。
【０１４０】
前記CSI resource configuration関連情報は、NZP（non zero power）CSI-RS resource set、CSI-IM resource set、またはCSI-SSB resource setのうち、少なくとも１つを含むグループを定義する。
【０１４１】
即ち、前記CSI resource configuration関連情報はCSI-RS resource set listを含み、前記CSI-RS resource set listはNZPCSI-RS resource set list、CSI-IM resource set list、またはCSI-SSB resource set listのうち、少なくとも１つを含むことができる。
【０１４２】
前記CSI resource configuration関連情報はCSI-Resource Config IEで表現できる。
【０１４３】
CSI-RS resource setはCSI-RS resource set IDにより識別され、１つのresource setは少なくとも１つのCSI-RS resourceを含む。
【０１４４】
各々のCSI-RS resourceは、CSI-RS resource IDにより識別される。
【０１４５】
表４のように、NZP CSI-RS resource set別にCSI-RSの用途を示すparameter（例：BM関連‘repetition’ parameter、tracking関連‘trs-Info’ parameter）が設定できる。
【０１４６】
表４は、 NZP CSI-RS resource set IEの一例を示す。
【０１４７】
【表４】
2020519214.tif 000038
【０１４８】
表４で、repetition parameterは同一なbeamの反復転送有無を示すparameterであって、NZP CSI-RS resource set別にrepetitionが‘ON’または‘OFF’なのかを指示する。
【０１４９】
本明細書で使われる転送ビーム（Tx beam）は、spatial domain transmission filterと、受信ビーム（Rx beam）はspatial domain reception filterと同一な意味として解釈できる。
【０１５０】
例えば、表４のrepetition parameterが‘OFF’に設定された場合、端末はresource set内のNZP CSI-RS resourceが全てのシンボルで同一なDL spatial domain transmission filterと同一なNrofportsに転送されると仮定しない。
【０１５１】
そして、higher layer parameterに該当するrepetition parameterはL1 parameterの‘CSI-RS-Resource Rep’に対応する。
【０１５２】
前記CSI報告設定（report configuration）関連情報は時間領域行動（time domain behavior）を示す報告設定タイプ（reportConfigType）parameter及び報告するためのCSI関連quantityを示す報告量（report Quantity）parameterを含む。
【０１５３】
前記時間領域行動（time domain behavior）はperiodic、aperiodic、またはsemi-persistentでありうる。
【０１５４】
そして、前記CSI report configuration関連情報はCSI-ReportConfig IEで表現されることができ、以下の表５はCSI-ReportConfig IEの一例を示す。
【０１５５】
【表５】
2020519214.tif 000039
【０１５６】
そして、前記端末は前記CSIと関連したconfiguration情報に基づいてCSIを測定（measurement）する（Ｓ６２０）。
【０１５７】
前記CSI測定は、（１）端末のCSI-RS受信過程（Ｓ６２１）と、（２）受信されたCSI-RSによりCSIを計算（computation）する過程（Ｓ６２２）を含むことができる。
【０１５８】
前記CSI-RSに対するシーケンス（sequence）は以下の数式２により生成され、pseudo-random sequence C（i）の初期値（initialization value）は数式３により定義される。
【０１５９】
【数２】
2020519214.tif 000040
【０１６０】
【数３】
2020519214.tif 000041
【０１６１】
数式２及び３で、
2020519214.tif 000042
はradio frame内スロット番号（slot number）を示し、pseudo-random sequence generatorは
2020519214.tif 000043
である各OFDMシンボルの開始でCintに初期化される。
【０１６２】
そして、ｌはスロット内OFDM symbol numberであり、
2020519214.tif 000044
はhigher-layer parameter scramblingIDと同一である。
【０１６３】
そして、前記CSI-RSはhigher layer parameter CSI-RS-ResourceMappingにより時間（time）及び周波数（frequency）領域でCSI-RS resourceのRE（resource element）マッピングが設定される。
【０１６４】
表６は、CSI-RS-ResourceMapping IEの一例を示す。
【０１６５】
【表６】
2020519214.tif 000045
【０１６６】
表６で、密度（density、D）はRE／port／PRB（physical resource block）で測定されるCSI-RS resourceのdensityを示し、nrofPortsはアンテナポートの個数を示す。
【０１６７】
そして、前記端末は前記測定されたCSIを基地局に報告（report）する（Ｓ６３０）。
【０１６８】
ここで、表６のCSI-ReportConfigのquantityが‘none（または、No report）’に設定された場合、前記端末は前記reportを省略することができる。
【０１６９】
但し、前記quantityが‘none（または、No report）’に設定された場合にも前記端末は基地局にreportすることもできる。
【０１７０】
前記quantityが‘none’に設定された場合は、aperiodic TRSをtriggerする場合、またはrepetitionが設定された場合である。
【０１７１】
ここで、repetitionが‘ON’に設定された場合のみに前記端末のreportを省略するように定義することもできる。
【０１７２】
整理すると、repetitionが‘ON’及び‘OFF’に設定される場合、CSI reportは‘No report’、‘SSBRI（SSB Resource Indicator）及びL１-RSRP’、‘CRI（CSI-RS Resource Indicator）及びL１-RSRP’全て可能でありうる。
【０１７３】
または、repetitionが‘OFF’の場合には‘SSBRI及びL１-RSRP’または‘CRI及びL１-RSRP’のCSI reportが転送されるように定義され、repetition‘ON’の場合には‘No report’、‘SSBRI及びL１-RSRP’、または‘CRI及びL１-RSRP’が転送されるように定義できる
ビーム管理（Ｂｅａｍ  Ｍａｎａｇｅｍｅｎｔ、ＢＭ）手続
【０１７４】
ＮＲ（Ｎｅｗ  Ｒａｄｉｏ）で定義するビーム管理（ｂｅａｍ  ｍａｎａｇｅｍｅｎｔ、ＢＭ）手続について見る。
【０１７５】
ＢＭ手続は、ダウンリンク（ｄｏｗｎｌｉｎｋ、ＤＬ）及びアップリンク（ｕｐｌｉｎｋ、ＵＬ）の送／受信に用いられることができる基地局（例：ｇＮＢ、ＴＲＰ等）及び／又は端末（例：ＵＥ）のビームセット（ｓｅｔ）を獲得して維持するためのＬ１（ｌａｙｅｒ  １）／Ｌ２（ｌａｙｅｒ  ２）手続であって、下記のような手続及び用語を含むことができる。
【０１７６】
−ビーム測定（ｂｅａｍ  ｍｅａｓｕｒｅｍｅｎｔ）：基地局またはＵＥが受信されたビーム形成信号の特性を測定する動作。
【０１７７】
−ビーム決定（ｂｅａｍ  ｄｅｔｅｒｍｉｎａｔｉｏｎ）：基地局またはＵＥが自身の送信ビーム（Ｔｘビーム）／受信ビーム（Ｒｘビーム）を選択する動作。
【０１７８】
−ビームスイーピング（Ｂｅａｍ  ｓｗｅｅｐｉｎｇ）：予め決定された方式で一定の時間間隔で送信及び／又は受信ビームを用いて空間領域をカバーする動作。
【０１７９】
−ビーム報告（ｂｅａｍ  ｒｅｐｏｒｔ）：ＵＥがビーム測定に基づいてビーム形成された信号の情報を報告する動作。
【０１８０】
図７は、ビーム関連測定モデルの一例を示す概念図である。
【０１８１】
ビーム測定（ｂｅａｍ  ｍｅａｓｕｒｅｍｅｎｔ）のために、ダウンリンクでＳＳブロック（またはＳＳ／ＰＢＣＨブロック、ＳＳＢ）またはＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）が用いられ、アップリンクでＳＲＳ（ｓｏｕｎｄｉｎｇ  ｒｅｆｅｒｅｎｃｅ  ｓｉｇｎａｌ）が用いられる。
【０１８２】
ＲＲＣ＿ＣＯＮＮＥＣＴＥＤで、ＵＥはセルの多数のビーム（または少なくとも一つのビーム）を測定し、ＵＥは、測定の結果（ＲＳＲＰ、ＲＳＲＱ、ＳＩＮＲ等）をセルの品質（ｃｅｌｌ  ｑｕａｌｉｔｙ）を導出（ｄｅｒｉｖｅ）するために平均（ａｖｅｒａｇｅ）することができる。
【０１８３】
これを通じて、ＵＥは、検出されたビームのサブ−セット（ｓｕｂ−ｓｅｔ）を考慮するように設定（ｃｏｎｆｉｇｕｒａｔｉｏｎ）されることができる。
【０１８４】
ビーム測定関連のフィルタリング（ｆｉｌｔｅｒｉｎｇ）は、互いに異なる二つのレベル（ビームの品質を誘導する物理層（ｐｈｙｓｉｃａｌ  ｌａｙｅｒ）で、且つ多重ビームでセルの品質を誘導するＲＲＣレベル）で発生する。
【０１８５】
ビーム測定からのセルの品質は、サービングセル（ｓｅｒｖｉｎｇ  ｃｅｌｌ）及び非−サービングセル（ｎｏｎ−ｓｅｒｖｉｎｇ  ｃｅｌｌ）に対して同じ方式で誘導される。
【０１８６】
もし、ＵＥがｇＮＢにより特定のビームに対する測定の結果を報告するように設定された場合、測定報告（ｍｅａｓｕｒｅｍｅｎｔ  ｒｅｐｏｒｔ）は、Ｘ個の最上のビーム（ｂｅｓｔ  ｂｅａｍｓ）に対する測定の結果を含む。前記ビーム測定の結果は、Ｌ１−ＲＳＲＰ（Ｒｅｆｅｒｅｎｃｅ  Ｓｉｇｎａｌ  Ｒｅｃｅｉｖｅｄ  Ｐｏｗｅｒ）に報告されることができる。
【０１８７】
図７で、Ｋ個のビーム（ｇＮＢビーム１、ｇＮＢビーム２、．．．、ｇＮＢビームｋ）７１０は、ｇＮＢによりＬ３の移動性のために設定され、Ｌ１でＵＥにより検出されたＳＳ（ｓｙｎｃｈｒｏｎｉｚａｔｉｏｎ  ｓｉｇｎａｌ）ブロック（ＳＳＢ）またはＣＳＩ−ＲＳリソースの測定に対応する。
【０１８８】
図７で、層１のフィルタリング（ｌａｙｅｒ  １  ｆｉｌｔｅｒｉｎｇ）７２０は、ポイントＡで測定された入力（ｉｎｐｕｔ）の内部の層１のフィルタリングを意味する。
【０１８９】
また、ビームの統合／選択（Ｂｅａｍ  Ｃｏｎｓｏｌｉｄａｔｉｏｎ／Ｓｅｌｅｃｔｉｏｎ）７３０は、ビームの特定の測定がセルの品質を誘導するために統合（または併合）される。
【０１９０】
セルの品質に対する層３のフィルタリング７４０は、ポイントＢで提供された測定に対して遂行されるフィルタリングを意味する。
【０１９１】
ＵＥは、少なくともポイントＣ、Ｃ１で新たな測定の結果が報告される毎に報告基準を評価する。
【０１９２】
Ｄは、無線インターフェースで転送された測定報告の情報（メッセージ）に該当する。
【０１９３】
Ｌ３のビームフィルタリング７５０は、ポイントＡ１で提供される測定（ビームの特定の測定）に対してフィルタリングが遂行される。
【０１９４】
ビーム報告のためのビーム選択７６０は、ポイントＥで提供された測定でＸ個の測定値が選択される。
【０１９５】
Ｆは、無線インターフェースで測定報告（転送された）に含まれたビーム測定の情報を示す。
【０１９６】
また、ＢＭ手続は、（１）ＳＳ（ｓｙｎｃｈｒｏｎｉｚａｔｉｏｎ  ｓｉｇｎａｌ）／ＰＢＣＨ（ｐｈｙｓｉｃａｌ  ｂｒｏａｄｃａｓｔ  ｃｈａｎｎｅｌ）ブロックまたはＣＳＩ−ＲＳを用いるＤＬ  ＢＭ手続と、（２）ＳＲＳ（ｓｏｕｎｄｉｎｇ  ｒｅｆｅｒｅｎｃｅ  ｓｉｇｎａｌ）を用いるＵＬ  ＢＭ手続とに区分できる。
【０１９７】
また、各ＢＭ手続は、Ｔｘビームを決定するためのＴｘビームスイーピングとＲｘビームを決定するためのＲｘビームスイーピングとを含むことができる。
【０１９８】
ＤＬ  ＢＭ手続
【０１９９】
まず、ＤＬ  ＢＭ手続について見る。
【０２００】
ＤＬ  ＢＭ手続は、（１）基地局のｂｅａｍｆｏｒｍｅｄ  ＤＬ  ＲＳ（ｒｅｆｅｒｅｎｃｅ  ｓｉｇｎａｌ）（例：ＣＳＩ−ＲＳまたはＳＳブロック（ＳＳＢ））に対する転送と、（２）端末のビーム報告を含むことができる。
【０２０１】
ここで、ビーム報告は、好まれる（ｐｒｅｆｅｒｒｅｄ）ＤＬ  ＲＳ  ＩＤ（ｉｄｅｎｔｉｆｉｅｒ）（ｓ）、及びこれに対応するＬ１−ＲＳＲＰ（Ｒｅｆｅｒｅｎｃｅ  Ｓｉｇｎａｌ  Ｒｅｃｅｉｖｅｄ  Ｐｏｗｅｒ）を含むことができる。
【０２０２】
前記ＤＬ  ＲＳ  ＩＤは、ＳＳＢＲＩ（ＳＳＢ  Ｒｅｓｏｕｒｃｅ  Ｉｎｄｉｃａｔｏｒ）またはＣＲＩ（ＣＳＩ−ＲＳ  Ｒｅｓｏｕｒｃｅ  Ｉｎｄｉｃａｔｏｒ）であり得る。
【０２０３】
図８は、ＤＬ  ＢＭ手続関連のＴｘビームの一例を示す図である。
【０２０４】
図８に示すように、ＳＳＢビームとＣＳＩ−ＲＳビームは、ビーム測定のために用いられることができる。
【０２０５】
ここで、測定メトリック（ｍｅａｓｕｒｅｍｅｎｔ  ｍｅｔｒｉｃ）は、リソース（ｒｅｓｏｕｒｃｅ）／ブロック（ｂｌｏｃｋ）別のＬ１−ＲＳＲＰである。
【０２０６】
ＳＳＢは、概略的（ｃｏａｒｓｅ）なビーム測定のために用いられ、ＣＳＩ−ＲＳは、精密（ｆｉｎｅ）なビーム測定のために用いられることができる。
【０２０７】
また、ＳＳＢは、ＴｘビームスイーピングとＲｘビームスイーピングの両方に用いられることができる。
【０２０８】
ＳＳＢを用いたＲｘビームスイーピングは、多数のＳＳＢバーストにわたって（ａｃｒｏｓｓ）、同一のＳＳＢＲＩに対してＵＥがＲｘビームを変更しながら遂行されることができる。
【０２０９】
ここで、一つのＳＳバーストは、一つまたはそれ以上のＳＳＢを含み、一つのＳＳバーストセットは、一つまたはそれ以上のＳＳＢバーストを含む。
【０２１０】
ＳＳＢを用いたＤＬ  ＢＭ手続
【０２１１】
図９は、ＳＳＢを用いたＤＬ  ＢＭ手続の一例を示すフローチャートである。
【０２１２】
ＳＳＢを用いたビーム報告（ｂｅａｍ  ｒｅｐｏｒｔ）に対する設定は、ＲＲＣ連結状態（またはＲＲＣ連結モード）でＣＳＩ／ビーム設定時に遂行される。
【０２１３】
表７のＣＳＩ−ＲｅｓｏｕｒｃｅＣｏｎｆｉｇ  ＩＥのように、ＳＳＢを用いたＢＭ設定は別に定義されず、ＳＳＢをＣＳＩ−ＲＳリソースのように設定する。
【０２１４】
表７は、ＣＳＩ−ＲｅｓｏｕｒｃｅＣｏｎｆｉｇ  ＩＥの一例を示す。
【０２１５】
【表７】
2020519214.tif 000046
【０２１６】
表７で、ｃｓｉ−ＳＳＢ−ＲｅｓｏｕｒｃｅＳｅｔＬｉｓｔのパラメータは、一つのリソースセットでビームの管理及び報告のために用いられるＳＳＢリソースのリストを示す。
【０２１７】
端末は、ＢＭのために用いられるＳＳＢリソースを含むＣＳＩ−ＳＳＢ−ＲｅｓｏｕｒｃｅＳｅｔＬｉｓｔを含むＣＳＩ−ＲｅｓｏｕｒｃｅＣｏｎｆｉｇ  ＩＥを基地局から受信する（Ｓ９１０）。
【０２１８】
ここで、ＳＳＢリソースセットは、｛ＳＳＢｘ１、ＳＳＢｘ２、ＳＳＢｘ３、ＳＳＢｘ４、…｝に設定されることができる。
【０２１９】
ＳＳＢ  ｉｎｄｅｘは、０から６３まで定義されることができる。
【０２２０】
また、前記端末は、前記ＣＳＩ−ＳＳＢ−ＲｅｓｏｕｒｃｅＳｅｔＬｉｓｔに基づいて、ＳＳＢリソースを前記基地局から受信する（Ｓ９２０）。
【０２２１】
また、ＳＳＢＲＩ及びＬ１−ＲＳＲＰに対する報告と関連したＣＳＩ−ＲＳ  ｒｅｐｏｒｔＣｏｎｆｉｇが設定された場合、前記端末は、最上のＳＳＢＲＩ及びこれに対応するＬ１−ＲＳＲＰを基地局に（ビーム）報告する（Ｓ９３０）。
【０２２２】
即ち、前記ＣＳＩ−ＲＳ  ｒｅｐｏｒｔＣｏｎｆｉｇ  ＩＥのｒｅｐｏｒｔＱｕａｎｔｉｔｙが「ｓｓｂ−Ｉｎｄｅｘ−ＲＳＲＰ」に設定された場合、端末は基地局に最上のＳＳＢＲＩ及びこれに対応するＬ１−ＲＳＲＰを報告する。
【０２２３】
また、端末は、ＳＳＢ（ＳＳ／ＰＢＣＨブロック）と同一のＯＦＤＭシンボルでＣＳＩ−ＲＳリソースが設定され、「ＱＣＬ−ＴｙｐｅＤ」が適用可能な場合、前記端末は、ＣＳＩ−ＲＳとＳＳＢが「ＱＣＬ−ＴｙｐｅＤ」の観点から、ｑｕａｓｉ  ｃｏ−ｌｏｃａｔｅｄと仮定することができる。
【０２２４】
ここで、前記ＱＣＬ  ＴｙｐｅＤは、空間Ｒｘのパラメータの観点から、アンテナポートの間にＱＣＬされていることを意味することができる。端末がＱＣＬ  Ｔｙｐｅ  Ｄの関係にある複数のＤＬアンテナポートを受信する時には同一の受信ビームを適用しても構わない。
【０２２５】
また、端末は、ＳＳＢのＲＥと重なるＲＥでＣＳＩ−ＲＳが設定されると期待しない。
【０２２６】
ＣＳＩ−ＲＳを用いたＤＬ  ＢＭ手続
【０２２７】
端末は、（上位層のパラメータ）繰り返し（ｒｅｐｅｔｉｔｉｏｎ）が「ＯＮ」に設定されたＮＺＰ−ＣＳＩ−ＲＳ−ＲｅｓｏｕｒｃｅＳｅｔの設定を受けた場合、前記端末は、ＮＺＰ−ＣＳＩ−ＲＳ−ＲｅｓｏｕｒｃｅＳｅｔ内の少なくとも一つのＣＳＩ−ＲＳリソースは、同一のダウンリンク空間領域転送フィルタ（ｄｏｗｎｌｉｎｋ  ｓｐａｔｉａｌ  ｄｏｍａｉｎ  ｔｒａｎｓｍｉｓｓｉｏｎ  ｆｉｌｔｅｒ）に転送されると仮定することができる。
【０２２８】
即ち、ＮＺＰ−ＣＳＩ−ＲＳ−ＲｅｓｏｕｒｃｅＳｅｔ内の少なくとも一つのＣＳＩ−ＲＳリソースは、同一のＴｘビームを介して転送される。
【０２２９】
ここで、ＮＺＰ−ＣＳＩ−ＲＳ−ＲｅｓｏｕｒｃｅＳｅｔ内の少なくとも一つのＣＳＩ−ＲＳリソースは、互いに異なるＯＦＤＭシンボルに転送されるか、または互いに異なる周波数領域に（即ち、ＦＤＭに）転送されることができる。
【０２３０】
前記少なくとも一つのＣＳＩ−ＲＳリソースがＦＤＭされる場合は、マルチパネル（ｍｕｌｔｉ−ｐａｎｅｌ）端末の場合である。
【０２３１】
また、繰り返し（ｒｅｐｅｔｉｔｉｏｎ）が「ＯＮ」に設定された場合は、端末のＲｘビームスイーピング手続と関連する。
【０２３２】
端末は、ＮＺＰ−ＣＳＩ−ＲＳ−Ｒｅｓｏｕｒｃｅｓｅｔ内の全てのＣＳＩ−ＲＳリソースでｐｅｒｉｏｄｉｃｉｔｙＡｎｄＯｆｆｓｅｔに互いに異なる周期（ｐｅｒｉｏｄｉｃｉｔｙ）を受信すると期待しない。
【０２３３】
また、前記繰り返し（ｒｅｐｅｔｉｔｉｏｎ）が「ＯＦＦ」に設定されると、端末は、ＮＺＰ−ＣＳＩ−ＲＳ−ＲｅｓｏｕｒｃｅＳｅｔ内の少なくとも一つのＣＳＩ−ＲＳリソースが同一のダウンリンク空間領域転送フィルタ（ｄｏｗｎｌｉｎｋ  ｓｐａｔｉａｌ  ｄｏｍａｉｎ  ｔｒａｎｓｍｉｓｓｉｏｎ  ｆｉｌｔｅｒ）に転送されると仮定しない。
【０２３４】
即ち、ＮＺＰ−ＣＳＩ−ＲＳ−ＲｅｓｏｕｒｃｅＳｅｔ内の少なくとも一つのＣＳＩ−ＲＳリソースは、互いに異なるＴｘビームを介して転送される。
【０２３５】
繰り返し（Ｒｅｐｅｔｉｔｉｏｎ）が「ＯＦＦ」に設定された場合は、基地局のＴｘビームスイーピング手続と関連する。
【０２３６】
また、前記繰り返しのパラメータは、Ｌ１  ＲＳＲＰまたは「Ｎｏ  Ｒｅｐｏｒｔ（またはＮｏｎｅ）」の報告を有するＣＳＩ−ＲｅｐｏｒｔＣｏｎｆｉｇと連係したＣＳＩ−ＲＳリソースセットに対してのみ設定されることができる。
【０２３７】
もし、端末がｒｅｐｏｒｔＱｕａｎｔｉｔｙが「ｃｒｉ−ＲＳＲＰ」または「ｎｏｎｅ」に設定されたＣＳＩ−ＲｅｐｏｒｔＣｏｎｆｉｇの設定を受け、チャンネルの測定のためのＣＳＩ−ＲｅｓｏｕｒｃｅＣｏｎｆｉｇ（上位層のパラメータｒｅｓｏｕｒｃｅｓＦｏｒＣｈａｎｎｅｌＭｅａｓｕｒｅｍｅｎｔ）が上位層のパラメータ「ｔｒｓ−Ｉｎｆｏ」を含まず、上位層のパラメータ「ｒｅｐｅｔｉｔｉｏｎ」に設定（ｒｅｐｅｔｉｔｉｏｎ＝ＯＮ）されたＮＺＰ−ＣＳＩ−ＲＳ−ＲｅｓｏｕｒｃｅＳｅｔを含む場合、前記端末は、ＮＺＰ−ＣＳＩ−ＲＳ−ＲｅｓｏｕｒｃｅＳｅｔ内の全てのＣＳＩ−ＲＳリソースに対して上位層のパラメータ「ｎｒｏｆＰｏｒｔｓ」を有する同じ番号のポート（１−ポートまたは２−ポート）のみで構成されることができる。
【０２３８】
より具体的に、ＣＳＩ−ＲＳの用途について見ると、特定のＣＳＩ−ＲＳリソースセットに繰り返しのパラメータが設定され、ＴＲＳ＿ｉｎｆｏが設定されていない場合、ＣＳＩ−ＲＳは、ビーム管理（ｂｅａｍ  ｍａｎａｇｅｍｅｎｔ）のために用いられる。
【０２３９】
また、繰り返しのパラメータが設定されず、ＴＲＳ＿ｉｎｆｏが設定された場合、ＣＳＩ−ＲＳは  ＴＲＳ（ｔｒａｃｋｉｎｇ  ｒｅｆｅｒｅｎｃｅ  ｓｉｇｎａｌ）のために用いられる。
【０２４０】
さらに、繰り返しのパラメータが設定されず、ＴＲＳ＿ｉｎｆｏが設定されていない場合、ＣＳＩ−ＲＳは、ＣＳＩ獲得のために用いられる。
【０２４１】
図１０は、ＣＳＩ−ＲＳを用いたＤＬ  ＢＭ手続の一例を示す図である。
【０２４２】
図１０ａは、端末のＲｘビームの決定（または改善）手続を示し、図１０ｂは、基地局のＴｘ  ｂｅａｍの決定手続を示す。
【０２４３】
また、図１０ａの場合、繰り返しのパラメータが「ＯＮ」に設定された場合であり、図１０ｂの場合、繰り返しのパラメータが「ＯＦＦ」に設定された場合である。
【０２４４】
図１０ａ及び図１１を参考し、端末のＲｘビームの決定過程について見る。
【０２４５】
図１１は、端末の受信ビームの決定過程の一例を示すフローチャートである。
【０２４６】
端末は、上位層のパラメータの繰り返しを含むＮＺＰ  ＣＳＩ−ＲＳリソースセットＩＥをＲＲＣシグナリングを介して基地局から受信する（Ｓ１１１０）。
【０２４７】
ここで、前記繰り返しのパラメータは、「ＯＮ」に設定される。
【０２４８】
また、前記端末は、繰り返し「ＯＮ」に設定されたＣＳＩ−ＲＳリソースセット内のリソースを基地局の同一のＴｘビーム（またはＤＬ空間領域転送フィルタ）を介して、互いに異なるＯＦＤＭシンボルで繰り返し受信する（Ｓ１１２０）。
【０２４９】
これを介して、前記端末は、自身のＲｘビームを決定する（Ｓ１１３０）。
【０２５０】
ここで、前記端末は、ＣＳＩ報告を省略するか、またはＣＲＩ／Ｌ１−ＲＳＲＰを含むＣＳＩ報告を基地局転送する（Ｓ１１４０）。
【０２５１】
この場合、ＣＳＩ  ｒｅｐｏｒｔ  ｃｏｎｆｉｇのｒｅｐｏｒｔＱｕａｎｔｉｔｙは、「Ｎｏ  ｒｅｐｏｒｔ（またはＮｏｎｅ）」または「ＣＲＩ及びＬ１−ＲＳＲＰ」に設定されることができる。
【０２５２】
即ち、前記端末は、繰り返し「ＯＮ」に設定された場合、ＣＳＩ報告を省略することもできるか、またはビームペア関連の好むビームに対するＩＤ情報（ＣＲＩ）及びこれに対する品質値（Ｌ１−ＲＳＲＰ）を報告することができる。
【０２５３】
図１０ｂ及び図１２を参考し、基地局のＴｘビームの決定過程について見る。
【０２５４】
図１２は、基地局の転送ビームの決定過程の一例を示すフローチャートである。
【０２５５】
端末は、上位層のパラメータの繰り返しを含むＮＺＰ  ＣＳＩ−ＲＳリソースセットＩＥをＲＲＣシグナリングを介して基地局から受信する（Ｓ１２１０）。
【０２５６】
ここで、前記繰り返しのパラメータは、「ＯＦＦ」に設定され、基地局のＴｘビームスイーピング手続と関連する。
【０２５７】
また、前記端末は、繰り返し「ＯＦＦ」に設定されたＣＳＩ−ＲＳリソースセット内のリソースを基地局の互いに異なるＴｘビーム（ＤＬ空間領域転送フィルタ）を介して受信する（Ｓ１２２０）。
【０２５８】
さらに、前記端末は、最上の（ｂｅｓｔ）ビームを選択（または決定）し（Ｓ１２３０）、選択されたビームに対するＩＤ及び関連の品質情報（例：Ｌ１−ＲＳＲＰ）を基地局に報告する（Ｓ１２４０）。
【０２５９】
この場合、ＣＳＩ  ｒｅｐｏｒｔ  ｃｏｎｆｉｇのｒｅｐｏｒｔＱｕａｎｔｉｔｙは、「ＣＲＩ  ＋  Ｌ１−ＲＳＲＰ」に設定されることができる。
【０２６０】
即ち、前記端末は、ＣＳＩ−ＲＳがＢＭのために転送される場合、ＣＲＩとこれに対するＬ１−ＲＳＲＰを基地局に報告する。
【０２６１】
図１３は、図１０の動作と関連した時間及び周波数領域でのリソース割り当ての一例を示す図である。
【０２６２】
即ち、ＣＳＩ−ＲＳリソースセットに繰り返し「ＯＮ」が設定された場合、複数のＣＳＩ−ＲＳリソースが同一の送信ビームを適用して繰り返して用いられ、ＣＳＩ−ＲＳリソースセットに繰り返し「ＯＦＦ」が設定された場合、互いに異なるＣＳＩ−ＲＳリソースが互いに異なる送信ビームに転送されることを見ることができる。
【０２６３】
ＤＬ  ＢＭ関連のビーム指示（ｂｅａｍ  ｉｎｄｉｃａｔｉｏｎ）
【０２６４】
端末は、少なくともＱＣＬ（Ｑｕａｓｉ  Ｃｏ−ｌｏｃａｔｉｏｎ）指示の目的のために、最大Ｍ個の候補（ｃａｎｄｉｄａｔｅ）の転送設定指示（Ｔｒａｎｓｍｉｓｓｉｏｎ  Ｃｏｎｆｉｇｕｒａｔｉｏｎ  Ｉｎｄｉｃａｔｉｏｎ、ＴＣＩ）状態（ｓｔａｔｅ）に対するリストをＲＲＣ設定を受けることができる。ここで、Ｍは６４であり得る。
【０２６５】
各ＴＣＩ  ｓｔａｔｅは、一つのＲＳセットに設定されることができる。
【０２６６】
少なくともＲＳセット内の空間ＱＣＬ目的（ＱＣＬ  Ｔｙｐｅ  Ｄ）のためのＤＬ  ＲＳのそれぞれのＩＤは、ＳＳＢ、Ｐ−ＣＳＩ  ＲＳ、ＳＰ−ＣＳＩ  ＲＳ、Ａ−ＣＳＩ  ＲＳ等のＤＬ  ＲＳ  ｔｙｐｅのうちの一つを参照することができる。
【０２６７】
少なくとも空間ＱＣＬの目的のために用いられるＲＳセット内のＤＬ  ＲＳのＩＤの初期化（ｉｎｉｔｉａｌｉｚａｔｉｏｎ）／アップデート（ｕｐｄａｔｅ）は、少なくとも明示的シグナリング（ｅｘｐｌｉｃｉｔ  ｓｉｇｎａｌｉｎｇ）を介して遂行されることができる。
【０２６８】
表８は、ＴＣＩ−Ｓｔａｔｅ  ＩＥの一例を示す。
【０２６９】
ＴＣＩ−Ｓｔａｔｅ  ＩＥは、一つまたは二つのＤＬ  ｒｅｆｅｒｅｎｃｅ  ｓｉｇｎａｌ（ＲＳ）の対応するｑｕａｓｉ  ｃｏ−ｌｏｃａｔｉｏｎ（ＱＣＬ）ｔｙｐｅと関連させる。
【０２７０】
【表８】
2020519214.tif 000047
【０２７１】
表８で、ｂｗｐ−Ｉｄのパラメータは、ＲＳが位置されるＤＬ  ＢＷＰを示し、ｃｅｌｌのパラメータはＲＳが位置されるキャリアを示し、ｒｅｆｅｒｅｎｃｅｓｉｇｎａｌのパラメータは、該当ターゲットアンテナポートに対してｑｕａｓｉ  ｃｏ−ｌｏｃａｔｉｏｎのソースになる参照アンテナポートあるいはこれを含む参照信号を示す。前記ターゲットアンテナポートは、ＣＳＩ−ＲＳ、ＰＤＣＣＨ  ＤＭＲＳ、又はＰＤＳＣＨ  ＤＭＲＳであり得る。一例として、ＮＺＰ  ＣＳＩ−ＲＳに対するＱＣＬ参照のＲＳ情報を指示するために、ＮＺＰ  ＣＳＩ−ＲＳのリソース設定情報に該当ＴＣＩ  ｓｔａｔｅ  ＩＤを指示することができる。また別の一例として、ＰＤＣＣＨ  ＤＭＲＳアンテナポートに対するＱＣＬ参照の情報を指示するために、各ＣＯＲＥＳＥＴの設定にＴＣＩ  ｓｔａｔｅ  ＩＤを指示することができる。また別の一例として、ＰＤＳＣＨ  ＤＭＲＳアンテナポートに対するＱＣＬ参照の情報を指示するために、ＤＣＩを介してＴＣＩ  ｓｔａｔｅ  ＩＤを指示することができる。
【０２７２】
ＱＣＬ（Ｑｕａｓｉ−Ｃｏ  Ｌｏｃａｔｉｏｎ）
【０２７３】
アンテナポートは、アンテナポート上のシンボルが運ばれるチャンネルが同一のアンテナポート上の他のシンボルが運ばれるチャンネルから推論されることができるように定義される。一つのアンテナポート上のシンボルが運ばれるチャンネルの特性（ｐｒｏｐｅｒｔｙ）が他のアンテナポート上のシンボルが運ばれるチャンネルから類推できる場合、二つのアンテナポートはＱＣ／ＱＣＬ（ｑｕａｓｉ  ｃｏ−ｌｏｃａｔｅｄあるいはｑｕａｓｉ  ｃｏ−ｌｏｃａｔｉｏｎ）関係にあるといえる。
【０２７４】
ここで、前記チャンネルの特性は、遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）、空間ＲＸのパラメータ（Ｓｐａｔｉａｌ  ＲＸ  ｐａｒａｍｅｔｅｒ）のうちの一つ以上を含む。ここで、空間Ｒｘのパラメータは、到来角（ａｎｇｌｅ  ｏｆ  ａｒｒｉｖａｌ）のような空間的な（受信）チャンネル特性のパラメータを意味する。
【０２７５】
端末は、該当端末及び与えられたサービングセル（ｓｅｒｖｉｎｇ  ｃｅｌｌ）に対して意図されたＤＣＩを有する検出されたＰＤＣＣＨによってＰＤＳＣＨをデコーディングするために、上位層のパラメータＰＤＳＣＨ−Ｃｏｎｆｉｇ内のＭ個までのＴＣＩ−Ｓｔａｔｅ  ｃｏｎｆｉｇｕｒａｔｉｏｎのリストに設定されることができる。前記Ｍは、ＵＥ  ｃａｐａｂｉｌｉｔｙに依存する。
【０２７６】
それぞれのＴＣＩ−Ｓｔａｔｅは、一つまたは二つのＤＬ参照信号とＰＤＳＣＨのＤＭ−ＲＳポートとの間のｑｕａｓｉ  ｃｏ−ｌｏｃａｔｉｏｎの関係を設定するためのパラメータを含む。
【０２７７】
Ｑｕａｓｉ  ｃｏ−ｌｏｃａｔｉｏｎの関係は、第一のＤＬ  ＲＳに対する上位層のパラメータｑｃｌ−Ｔｙｐｅ１と、第二のＤＬ  ＲＳに対するｑｃｌ−Ｔｙｐｅ２（設定された場合）に設定される。
【０２７８】
二つのＤＬ  ＲＳの場合、参照が同一のＤＬ  ＲＳまたは互いに異なるＤＬ  ＲＳであるかに関係なく、ＱＣＬ  ｔｙｐｅは同一ではない。
【０２７９】
各ＤＬ  ＲＳに対応するｑｕａｓｉ  ｃｏ−ｌｏｃａｔｉｏｎ  ｔｙｐｅは、ＱＣＬ−Ｉｎｆｏの上位層のパラメータｑｃｌ−Ｔｙｐｅによって与えられ、次の値のうちの一つを取ることができる。
【０２８０】
−「ＱＣＬ−ＴｙｐｅＡ」：｛Ｄｏｐｐｌｅｒ  ｓｈｉｆｔ、Ｄｏｐｐｌｅｒ  ｓｐｒｅａｄ、ａｖｅｒａｇｅ  ｄｅｌａｙ、ｄｅｌａｙ  ｓｐｒｅａｄ｝
【０２８１】
−「ＱＣＬ−ＴｙｐｅＢ」：｛Ｄｏｐｐｌｅｒ  ｓｈｉｆｔ、Ｄｏｐｐｌｅｒ  ｓｐｒｅａｄ｝
【０２８２】
−「ＱＣＬ−ＴｙｐｅＣ」：｛Ｄｏｐｐｌｅｒ  ｓｈｉｆｔ、ａｖｅｒａｇｅ  ｄｅｌａｙ｝
【０２８３】
−「ＱＣＬ−ＴｙｐｅＤ」：｛Ｓｐａｔｉａｌ  Ｒｘ  ｐａｒａｍｅｔｅｒ｝
【０２８４】
例えば、ターゲットアンテナポートが特定のＮＺＰ  ＣＳＩ−ＲＳである場合、該当ＮＺＰ  ＣＳＩ−ＲＳアンテナポートは、ＱＣＬ−Ｔｙｐｅ  Ａの観点からは、特定のＴＲＳと、ＱＣＬ−Ｔｙｐｅ  Ｄの観点からは、特定のＳＳＢとＱＣＬされたと指示／設定されることができる。このような指示／設定を受けた端末は、ＱＣＬ−ＴｙｐｅＡ  ＴＲＳで測定されたＤｏｐｐｌｅｒ、ｄｅｌａｙ値を用いて、該当ＮＺＰ  ＣＳＩ−ＲＳを受信し、ＱＣＬ−ＴｙｐｅＤ  ＳＳＢの受信に用いられた受信ビームを該当ＮＺＰ  ＣＳＩ−ＲＳの受信に適用することができる。
【０２８５】
ＵＥは、８個までのＴＣＩ  ｓｔａｔｅをＤＣＩフィールド「Ｔｒａｎｓｍｉｓｓｉｏｎ  Ｃｏｎｆｉｇｕｒａｔｉｏｎ  Ｉｎｄｉｃａｔｉｏｎ」のｃｏｄｅｐｏｉｎｔにマッピングするために用いられる活性化命令（ａｃｔｉｖａｔｉｏｎ  ｃｏｍｍａｎｄ）を受信する。
【０２８６】
ＵＬ  ＢＭ手続
【０２８７】
ＵＬ  ＢＭは、端末の具現によって、Ｔｘビーム−Ｒｘビーム間のビームの相互関係（ｂｅａｍ  ｒｅｃｉｐｒｏｃｉｔｙ）（またはビームの関連性（ｂｅａｍ  ｃｏｒｒｅｓｐｏｎｄｅｎｃｅ））が成立できるか、または成立できない。
【０２８８】
もし、基地局と端末の両方でＴｘビーム−Ｒｘビーム間の相互関係が成立する場合、ＤＬビームペアを介してＵＬビームペアを合わせることができる。
【０２８９】
しかし、基地局と端末のいずれか一つでもＴｘビーム−Ｒｘビーム間の相互関係が成立しない場合、ＤＬビームペアの決定と別個に、ＵＬビームペアの決定過程が必要である。
【０２９０】
また、基地局と端末はいずれもビームの関連性を維持している場合にも、端末が好む（ｐｒｅｆｅｒｒｅｄ）ビームの報告を要求しなくても、基地局はＤＬ  Ｔｘビームの決定のためにＵＬ  ＢＭ手続を用いることができる。
【０２９１】
ＵＬ  ＢＭは、ｂｅａｍｆｏｒｍｅｄ  ＵＬ  ＳＲＳ転送を介して遂行されることができ、「ＳＲＳ−ＳｅｔＵｓｅ」のパラメータが「ＢｅａｍＭａｎａｇｅｍｅｎｔ」に設定される。
【０２９２】
同様に、ＵＬ  ＢＭ手続も、端末のＴｘビームスイーピングと基地局のＲｘビームスイーピングとに区分できる。
【０２９３】
端末は、（上位層のパラメータ）ＳＲＳ−ＲｅｓｏｕｒｃｅＳｅｔにより設定される一つまたはそれ以上のＳｏｕｎｄｉｎｇ  Ｒｅｆｅｒｅｎｃｅ  Ｓｙｍｂｏｌ（ＳＲＳ）リソースセットを（上位層のシグナリング、ＲＲＣシグナリング等を介して）設定を受けることができる。
【０２９４】
それぞれのＳＲＳリソースセットに対して、ＵＥはＫ≧１  ＳＲＳリソース（上位層のパラメータＳＲＳ−リソース）が設定されることができる。
【０２９５】
ここで、Ｋは自然数であり、Ｋの最大値は、ＳＲＳ＿ｃａｐａｂｉｌｉｔｙにより指示される。
【０２９６】
ＳＲＳリソースセットのＵＬ  ＢＭの適用可否は、（上位層のパラメータ）  ＳＲＳ−ＳｅｔＵｓｅにより設定される。
【０２９７】
前記ＳＲＳ−ＳｅｔＵｓｅが「ＢｅａｍＭａｎａｇｅｍｅｎｔ（ＢＭ）」に設定されると、与えられた時間インスタンス（ｔｉｍｅ  ｉｎｓｔａｎｔ）に複数のＳＲＳリソースセットのそれぞれに一つのＳＲＳリソースのみ転送されることができる。
【０２９８】
図１４は、ＳＲＳを用いたＵＬ  ＢＭ手続の一例を示す図である。
【０２９９】
具体的に、図１４ａは、基地局のＲｘビームの決定手続を示し、図１４ｂは、端末のＴｘビームの決定手続を示す。
【０３００】
図１５は、ＳＲＳを用いたＵＬ  ＢＭ手続の一例を示すフローチャートである。
【０３０１】
まず、端末は、「ビーム管理」に設定された（上位層のパラメータ）使用量パラメータを含むＲＲＣシグナリング（例：ＳＲＳ−Ｃｏｎｆｉｇ  ＩＥ）を基地局から受信する（Ｓ１５１０）。
【０３０２】
表９は、ＳＲＳ−Ｃｏｎｆｉｇ  ＩＥ（Ｉｎｆｏｒｍａｔｉｏｎ  Ｅｌｅｍｅｎｔ）の一例を示し、ＳＲＳ−Ｃｏｎｆｉｇ  ＩＥは、ＳＲＳ転送設定のために用いられる。
【０３０３】
前記ＳＲＳ−Ｃｏｎｆｉｇ  ＩＥは、ＳＲＳ−ＲｅｓｏｕｒｃｅｓのリストとＳＲＳ−ＲｅｓｏｕｒｃｅＳｅｔのリストとを含む。
【０３０４】
各ＳＲＳリソースセットは、ＳＲＳ−ｒｅｓｏｕｒｃｅのセットを意味する。
【０３０５】
ネットワークは、設定されたａｐｅｒｉｏｄｉｃＳＲＳ−ＲｅｓｏｕｒｃｅＴｒｉｇｇｅｒ（Ｌ１  ＤＣＩ）を用いて、ＳＲＳリソースセットの転送をトリガーする。
【０３０６】
【表９−１】
2020519214.tif 000048
【０３０７】
【表９−２】
2020519214.tif 000049
【０３０８】
表９で、使用量（ｕｓａｇｅ）は、ＳＲＳリソースセットがビーム管理のために用いられるか、ｃｏｄｅｂｏｏｋベースまたはｎｏｎ−ｃｏｄｅｂｏｏｋベースの転送のために用いられるかを指示する上位層のパラメータを示す。
【０３０９】
前記使用量のパラメータ（ｕｓａｇｅ  ｐａｒａｍｅｔｅｒ）は、Ｌ１のパラメータ「ＳＲＳ−ＳｅｔＵｓｅ」に対応する。
【０３１０】
「ｓｐａｔｉａｌＲｅｌａｔｉｏｎＩｎｆｏ」は、参照ＲＳとターゲットＳＲＳとの間の空間関係（ｓｐａｔｉａｌ  ｒｅｌａｔｉｏｎ）の設定を示すパラメータである。
【０３１１】
ここで、参照ＲＳは、Ｌ１のパラメータ「ＳＲＳ−ＳｐａｔｉａｌＲｅｌａｔｉｏｎＩｎｆｏ」に該当するＳＳＢ、ＣＳＩ−ＲＳまたはＳＲＳになることができる。
【０３１２】
前記使用量は、ＳＲＳリソースセット別に設定される。
【０３１３】
また、前記端末は、前記ＳＲＳ−Ｃｏｎｆｉｇ  ＩＥに含まれたＳＲＳ−ＳｐａｔｉａｌＲｅｌａｔｉｏｎ  Ｉｎｆｏに基づいて転送すべきＳＲＳリソースに対するＴｘビームを決定する（Ｓ１５２０）。
【０３１４】
ここで、ＳＲＳ−ＳｐａｔｉａｌＲｅｌａｔｉｏｎ  Ｉｎｆｏは、ＳＲＳリソース別に設定され、ＳＲＳリソース別にＳＳＢ、ＣＳＩ−ＲＳまたはＳＲＳで用いられるビームと同じビームを適用するかを示す。
【０３１５】
また、各ＳＲＳリソースにＳＲＳ−ＳｐａｔｉａｌＲｅｌａｔｉｏｎＩｎｆｏが設定されるか、または設定されないことがある。
【０３１６】
もし、ＳＲＳリソースにＳＲＳ−ＳｐａｔｉａｌＲｅｌａｔｉｏｎＩｎｆｏが設定されると、ＳＳＢ、ＣＳＩ−ＲＳまたはＳＲＳで用いられるビームと同じビームを適用して転送する。
【０３１７】
しかし、ＳＲＳリソースにＳＲＳ−ＳｐａｔｉａｌＲｅｌａｔｉｏｎＩｎｆｏが設定されないと、前記端末は任意にＴｘビームを決定し、決定されたＴｘビームを介してＳＲＳを転送する（Ｓ１５３０）。
【０３１８】
より具体的に、「ＳＲＳ−ＲｅｓｏｕｒｃｅＣｏｎｆｉｇＴｙｐｅ」が「周期的」に設定されたＰ−ＳＲＳについて、
【０３１９】
（１）ＳＲＳ−ＳｐａｔｉａｌＲｅｌａｔｉｏｎＩｎｆｏが「ＳＳＢ／ＰＢＣＨ」に設定される場合、ＵＥはＳＳＢ／ＰＢＣＨの受信のために用いた空間領域Ｒｘフィルタと同一の（或いは該当フィルタから生成された）空間領域転送フィルタを適用し、該当ＳＲＳリソースを転送する。
【０３２０】
または、（２）ＳＲＳ−ＳｐａｔｉａｌＲｅｌａｔｉｏｎＩｎｆｏが「ＣＳＩ−ＲＳ」に設定される場合、ＵＥは、周期的ＣＳＩ−ＲＳまたはＳＰ  ＣＳＩ−ＲＳの受信のために用いられる同一の空間領域転送フィルタを有するＳＲＳリソースを転送する。
【０３２１】
または、（３）ＳＲＳ−ＳｐａｔｉａｌＲｅｌａｔｉｏｎＩｎｆｏが「ＳＲＳ」に設定される場合、ＵＥは、周期的ＳＲＳの転送のために用いられる同一の空間領域転送フィルタを適用し、該当ＳＲＳリソースを転送する。
【０３２２】
「ＳＲＳ−ＲｅｓｏｕｒｃｅＣｏｎｆｉｇＴｙｐｅ」が「ＳＰ−ＳＲＳ」または「ＡＰ−ＳＲＳ」に設定された場合にも、前記と同様に適用されることができる。
【０３２３】
さらに、前記端末は、基地局からＳＲＳに対するフィードバックを次の三つの場合のように、受信を受けるか、又は受信を受けないことがある（Ｓ１５４０）。
【０３２４】
第一に、ＳＲＳリソースセット内の全てのＳＲＳリソースに対して、Ｓｐａｔｉａｌ＿Ｒｅｌａｔｉｏｎ＿Ｉｎｆｏが設定される場合、端末は、基地局が指示したビームでＳＲＳを転送する。
【０３２５】
例えば、Ｓｐａｔｉａｌ＿Ｒｅｌａｔｉｏｎ＿Ｉｎｆｏが全て同一のＳＳＢ、ＣＲＩまたはＳＲＩを指示する場合、端末は同一のビームでＳＲＳを繰り返し転送する。
【０３２６】
この場合は、基地局がＲｘビームを選択する用途であって、図４ａに対応する。
【０３２７】
第二に、ＳＲＳリソースセット内の全てのＳＲＳリソースに対して、Ｓｐａｔｉａｌ＿Ｒｅｌａｔｉｏｎ＿Ｉｎｆｏが設定されないことがある。
【０３２８】
この場合、端末は自由にＳＲＳビームを変えながら、転送することができる。
【０３２９】
即ち、この場合は、端末がＴｘビームを選択する用途であって、図４ｂに対応する。
【０３３０】
最後に、ＳＲＳリソースセット内の一部のＳＲＳリソースに対してのみＳｐａｔｉａｌ＿Ｒｅｌａｔｉｏｎ＿Ｉｎｆｏが設定されることができる。
【０３３１】
この場合、設定されたＳＲＳリソースに対しては、指示されたビームでＳＲＳを転送し、Ｓｐａｔｉａｌ＿Ｒｅｌａｔｉｏｎ＿Ｉｎｆｏが設定されていないＳＲＳリソースに対しては、端末が任意にＴｘビームを適用して転送することができる。
CSI測定及び報告（CSI measurement and reporting）手続
【０３３２】
NRシステムは、より柔軟で動的なCSI measurement及びreportingを支援する。
【０３３３】
前記CSI measurementはCSI-RSを受信し、受信されたCSI-RSをcomputationしてCSIをacquisitionする手続を含むことができる。
【０３３４】
CSI measurement及びreportingのtime domain behaviorとして、aperiodic/semi-persistent/periodic CM（channel measurement）及びIM（interference measurement）が支援される。
【０３３５】
CSI-IMの設定のために4port NZP CSI-RS RE patternを用いる。
【０３３６】
NRのCSI-IM基盤IMRはLTEのCSI-IMと類似のデザインを有し、PDSCH rate matchingのためのZP CSI-RS resourceとは独立に設定される。
【０３３７】
そして、NZP CSI-RS基盤IMRで各々のportは（好ましいchannel及び）precoded NZP CSI-RSを有するinterference layerをemulateする。
【０３３８】
これは、multi-user caseに対してintra-cell interference measurementに対するものであって、MU interferenceを主にtargetする。
【０３３９】
基地局は、設定されたNZP CSI-RS基盤IMRの各port上でprecoded NZP CSI -RSを端末に転送する。
【０３４０】
端末はresource setで各々のportに対してchannel/interference layerを仮定し、interferenceを測定する。
【０３４１】
チャンネルに対して、どんなPMI及びRI feedbackもない場合、多数のresourceはsetで設定され、基地局またはネットワークはchannel/interference measurementに対してNZP CSI-RS resourceのsubsetをDCIを通じて指示する。
【０３４２】
resource setting及びresource setting configurationに対し、より具体的に説明する。
【０３４３】
資源セッティング（resource setting）
【０３４４】
各々のCSI resource setting‘CSI-ResourceConfig’は（higher layer parameter csi-RS-ResourceSetListにより与えられた）S≧1 CSI resource setに対するconfigurationを含む。
【０３４５】
ここで、CSI resource settingは、CSI-RS-resourcesetlistに対応する。
【０３４６】
ここで、Ｓは設定されたCSI-RS resource setの数を示す。
【０３４７】
ここで、S≧1 CSI resource setに対するconfigurationは（NZP CSI-RSまたはCSI-IMで構成された）CSI-RS resourceを含む各々のCSI resource setとL1-RSRP computationに使われるSS/PBCH block（SSB）resourceを含む。
【０３４８】
各CSI resource settingは、higher layer parameter bwp-idにより識別されるDL BWP（bandwidthpart）に位置する。
【０３４９】
そして、CSI reporting settingにリンクされた全てのCSI resource settingは同一なDL BWPを有する。
【０３５０】
CSI-ResourceConfig IEに含まれるCSI resource setting内でCSI-RS resourceのtime domain behaviorはhigher layer parameter resourceTypeにより指示され、aperiodic、periodic、またはsemi-persistentに設定できる。
【０３５１】
Periodic及びsemi-persistent CSI resource settingに対し、設定されたCSI-RS resource setの数（S）は‘１’に制限される。
【０３５２】
Periodic及びsemi-persistent CSI resource settingに対し、設定された周期（periodicity）及びスロットオフセット（slot off set）はbwp-idにより与えられるように、関連したDL BWPのnumerologyから与えられる。
【０３５３】
UEが同一なNZP CSI-RS resource IDを含む多数のCSI-ResourceConfigに設定される時、同一なtime domain behaviorはCSI-ResourceConfigに対して設定される。
【０３５４】
UEが同一なCSI-IM resource IDを含む多数のCSI-ResourceConfigに設定される時、同一なtime domain behaviorはCSI-ResourceConfigに対して設定される。
【０３５５】
次は、channel measurement（CM）及びinterference measurement（IM）のための１つまたはその以上のCSI resource settingはhigher layer signalingを通じて設定される。
【０３５６】
−interference measurementに対するCSI-IM resource。
【０３５７】
−interference measurementに対するNZPCSI-RS資源。
【０３５８】
−channel measurementに対するNZPCSI-RS資源。
【０３５９】
即ち、CMR（channel measurement resource）はCSI acquisitionのためのNZP CSI-RSであり、IMR（Interference measurement resource）はCSI-IMとIMのためのNZP CSI-RSでありうる。
【０３６０】
ここで、CSI-IM（または、IMのためのZP CSI-RS）は主にinter-cell interference measurementに対して使われる。
【０３６１】
そして、IMのためのNZP CSI-RSは主にmulti-userからintra-cell interference measurementのために使われる。
【０３６２】
UEはチャンネル測定のためのCSI-RS resource及び１つのCSI reportingのために設定されたinterference measurementのためのCSI-IM/NZP CSI-RS resourceが資源別に‘QCL-TypeD’と仮定することができる。
【０３６３】
資源セッティング設定（resource setting configuration）
【０３６４】
説明したように、resource settingはresource set listを意味することができる。
【０３６５】
aperiodic CSIに対し、higher layer parameter CSI-AperiodicTriggerStateを使用して設定される各トリガー状態（trigger state）は各々のCSI-ReportConfigがperiodic、semi-persistentまたはaperiodic resource settingにリンクされる１つまたは多数のCSI-ReportConfigと関連する。
【０３６６】
１つのreporting settingは最大３個までのresource settingと連結できる。
【０３６７】
−１つのresource settingが設定されれば、（higher layer parameter resourcesForChannelMeasurementにより与えられる）resource settingはL1-RSRP computationのためのchannel measurementに対するものである。
【０３６８】
−２つのresource settingが設定されれば、（higher layer parameter resourcesForChannelMeasurementにより与えられる）最初のresource settingはchannel measurementのためのものであり、（csi-IM-ResourcesForInterferenceまたはnzp-CSI-RS-ResourcesFor Interferenceにより与えられる）第２のresource settingはCSI-IMまたはNZP CSI-RS上で遂行されるinterference measurementのためのものである。
【０３６９】
−３個のresource settingが設定されれば、（resourcesForChannel Measurementにより与えられる）最初のresource settingはchannel measurementのためのものであり、（CSI-IM-ResourcesForInterferenceにより与えられる）第２のresource settingはCSI-IM基盤interference measurementのためのものであり、（nzp-CSI-RS-ResourcesForInterferenceにより与えられる）第３のresource settingはNZP CSI-RS基盤interference measurementのためのものである。
【０３７０】
Semi-persistentまたはperiodic CSIに対し、各CSI-ReportConfigはperiodicまたはsemi-persistent resource settingにリンクされる。
【０３７１】
−（resourcesForChannelMeasurementにより与えられる）１つのresource settingが設定されれば、前記resource settingはL1-RSRP computationのためのchannel measurementに対するものである。
【０３７２】
−２つのresource settingが設定されれば、（resourcesForChannel Measurementにより与えられる）最初のresource settingはchannel measurementのためのものであり、（higher layer parameter csi-IM-ResourcesForInterferenceにより与えられる）第２のresource settingはCSI-IM上で遂行されるinterference measurementのために使われる。
【０３７３】
CSI measurement関連CSI computationに対して説明する。
【０３７４】
干渉測定がCSI-IM上で遂行されれば、チャンネル測定のための各々のCSI-RS resourceは対応するresource set内でCSI-RS resource及びCSI-IM resourceの順序によりCSI-IM resourceと資源別に関連する。
【０３７５】
チャンネル測定のためのCSI-RS resourceの数はCSI-IM resourceの数と同一である。
【０３７６】
そして、interference measurementがNZP CSI-RSで遂行される場合、UEはチャンネル測定のためのresource setting内で関連したresource setで１つ以上のNZP CSI-RS resourceに設定されることと期待しない。
【０３７７】
Higher layer parameter nzp-CSI-RS-ResourcesForInterferenceが設定された端末は、NZP CSI-RS resource set内に１８個以上のNZP CSI-RS portが設定されることと期待しない。
【０３７８】
CSI測定のために、端末は以下の事項を仮定する。
【０３７９】
−干渉測定のために設定された各々のNZP CSI-RS portは干渉転送階層に該当する。
【０３８０】
−干渉測定のためのNZP CSI-RS portの全ての干渉転送レイヤはＥPRＥ（energy per resource element）割合を考慮する。
【０３８１】
−チャンネル測定のためのNZP CSI-RS resourceのRE(s)上で異なる干渉信号、干渉測定のためのNZP CSI-RS resourceまたは干渉測定のためのCSI-IM resource。
【０３８２】
CSI報告（Reporting）手続に対し、より具体的に説明する。
【０３８３】
CSI報告のために、UEが使用することができるtime及びfrequency資源は基地局により制御される。
【０３８４】
CSI（channel state information）は、チャンネル品質指示子（channel quality indicator、CQI）、プリコーディング行列指示子（precoding matrix indicator、PMI）、CSI-RS resource indicator（CRI）、SS/PBCH block resource indicator（SSBRI）、layer indicator（LI）、rank indicator（RI）、またはL１-RSRPのうち、少なくとも１つを含むことができる。
【０３８５】
CQI、PMI、CRI、SSBRI、LI、RI、L１-RSRPに対し、端末はN≧1 CSI-ReportConfig reporting setting、M≧1 CSI-ResourceConfig resource setting、及び１つまたは２つのtrigger stateのリスト（aperiodicTriggerStateList及びsemiPersistentOnPUSCH-TriggerStateListにより提供される）でhigher layerにより設定される。
【０３８６】
前記aperiodicTriggerStateListで、各trigger stateはchannel及び選択的にinterferenceに対するresource set IDを指示する関連したCSI-ReportConfigsリストを含む。
【０３８７】
前記semiPersistentOnPUSCH-TriggerStateListで、各trigger stateは１つの関連したCSI-ReportConfigが含まれる。
【０３８８】
そして、CSI reportingのtime domain behaviorは、periodic、semi-persistent、aperiodicを支援する。
【０３８９】
以下、periodic、semi-persistent（ＳP）、aperiodic CSI reportingに対して各々説明する。
【０３９０】
Periodic CSI reportingは、short PUCCH、long PUCCH上で遂行される。
【０３９１】
Periodic CSI reportingの周期（periodicity）及びスロットオフセット（slot offset）はRRCに設定されることができ、CSI-ReportConfig IEを参考する。
【０３９２】
次に、SP CSI reportingは、short PUCCH、long PUCCH、またはPUSCH上で遂行される。
【０３９３】
Short／long PUCCH上でSP CSIである場合、周期（periodicity）及びスロットオフセット（slot offset）はRRCに設定され、別途のMAC CEにCSI報告がactivation／deactivationされる。
【０３９４】
PUSCH上でSP CSIである場合、SP CSI reportingのperiodicityはRRCに設定されるが、slot offsetはRRCに設定されず、DCI（format 0_1）によりSP CSI reportingは活性化／不活性化（activation／deactivation）される。
【０３９５】
最初のCSI報告タイミングは、DCIで指示されるPUSCH time domain allocation値に従い、後続するCSI報告タイミングはRRCに設定された周期に従う。
【０３９６】
PUSCH上でSP CSI reportingに対し、分離されたRNTI（SP-CSIC-RNTI）が使われる。
【０３９７】
DCI format 0_1はCSI request fieldを含み、特定configured SP-CSI trigger stateをactivation／deactivationすることができる。
【０３９８】
そして、SP CSI reportingは、SPS PUSCH上でdata転送を有するmechanismと同一または類似の活性化／不活性化を有する。
【０３９９】
次に、aperiodic CSI reportingはPUSCH上で遂行され、DCIによりtriggerされる。
【０４００】
AP CSI-RSを有するAP CSIの場合、AP CSI-RS timingはRRCにより設定される。
【０４０１】
ここで、AP CSI reportingに対するtimingはDCIにより動的に制御される。
【０４０２】
NRは、LTEでPUCCH基盤CSI報告に適用されていた多数のreporting instanceでCSIを分けて報告する方式（例えば、RI、WB PMI／CQI、SB PMI／CQIの順に転送）が適用されない。
【０４０３】
代わりに、NRはshort／long PUCCHで特定CSI報告が設定できないように制限し、CSI omission ruleが定義される。
【０４０４】
そして、AP CSI reporting timingと関連して、PUSCH symbol/slot locationはDCIにより動的に指示される。そして、candidate slot offsetはRRCにより設定される。
【０４０５】
CSI reportingに対し、slot offset(Y)はreporting setting別に設定される。
【０４０６】
UL-SCHに対し、slot offset K2は別個に設定される。
【０４０７】
２つのCSI latency class（low latency class、high latency class）は、CSI computation complexityの観点で定義される。
【０４０８】
Low latency CSIの場合、最大4ports Type-I codebookまたは最大4-ports non-PMI feedback CSIを含むWB CSIである。
【０４０９】
High latency CSIは、low latency CSIを除外した他のCSIをいう。
【０４１０】
Normal端末に対し、（Z、z’）はOFDM symbolのunitで定義される。
【０４１１】
Zは、Aperiodic CSI triggering DCIを受信した後、CSI報告を遂行するまでの最小CSI processing timeを示す。
【０４１２】
z’は、channel／interferenceに対するCSI-RSを受信した後、CSI報告を遂行するまでの最小CSI processing timeを示す。
【０４１３】
追加的に、端末は同時にcalculationすることができるCSIの個数をreportする。
【０４１４】
ＰＵＳＣＨを用いたＣＳＩ報告（ＣＳＩ  ｒｅｐｏｒｔｉｎｇ  ｕｓｉｎｇ  ＰＵＳＣＨ）
【０４１５】
図１６は、ＰＵＳＣＨベースのＣＳＩ報告の情報ペイロード（ｐａｙｌｏａｄ）の一例を示す。
【０４１６】
ＮＺＢＩは、Ｔｙｐｅ  ＩＩのＰＭＩコードブックに対して、層別のノンゼロ広帯域振幅係数（ｎｏｎ−ｚｅｒｏ  ｗｉｄｅｂａｎｄ  ａｍｐｌｉｔｕｄｅ  ｃｏｅｆｆｉｃｉｅｎｔｓ）の個数に対する指示を示すパラメータである。
【０４１７】
ＤＣＩに対するデコーディングが成功される場合、端末はサービングセル（ｃ）のＰＵＳＣＨを用いて、非周期的ＣＳＩ報告を遂行する。
【０４１８】
ＰＵＳＣＨで遂行される非周期的ＣＳＩ報告は、広帯域及びサブバンドサブバンドの周波数細分性（ｆｒｅｑｕｅｎｃｙ  ｇｒａｎｕｌａｒｉｔｙ）を支援する。
【０４１９】
ＰＵＳＣＨで遂行される非周期的ＣＳＩ報告は、Ｔｙｐｅ  Ｉ及びＴｙｐｅＩＩのＣＳＩを支援する。
【０４２０】
ＳＰ（ｓｅｍｉ−ｐｅｒｓｉｓｔｅｎｔ）ＣＳＩトリガー状態を活性化するＤＣＩのフォーマット０＿１に対するデコーディングが成功された場合、端末はＰＵＳＣＨに対するＳＰ  ＣＳＩの報告を遂行する。
【０４２１】
ＤＣＩフォーマット０＿１は、活性化または非活性化するＳＰ  ＣＳＩトリガー状態を示すＣＳＩ要求フィールド（ｒｅｑｕｅｓｔ  ｆｉｅｌｄ）を含む。
【０４２２】
ＰＵＳＣＨに対するＳＰ  ＣＳＩ報告は、広帯域及びサブバンドの周波数細分性を有するＴｙｐｅ  Ｉ及びＴｙｐｅ  ＩＩのＣＳＩを支援する。
【０４２３】
ＳＰ  ＣＳＩ報告に対するＰＵＳＣＨリソース及びＭＣＳ（Ｍｏｄｕｌａｔｉｏｎ  ａｎｄ  Ｃｏｄｉｎｇ  Ｓｃｈｅｍｅ）は、ＵＬ  ＤＣＩにより半永久的に割り当てられる。
【０４２４】
ＰＵＳＣＨに対するＣＳＩ報告は、ＰＵＳＣＨ上のＵＬデータと多重化（ｍｕｌｔｉｐｌｅｘｉｎｇ）されることができる。
【０４２５】
また、ＰＵＳＣＨに対するＣＳＩ報告は、ＵＬデータと多重化なく遂行されることができる。
【０４２６】
ＰＵＳＣＨ上でＴｙｐｅ  Ｉ及びＴｙｐｅ  ＩＩのＣＳＩに対して、ＣＳＩ報告は、図１６に示すように、二つのパート（パート１及びパート２）を含む。
【０４２７】
パート１（１６１０）は、パート２（１６２０）の情報ピット数を識別するのに用いられる。パート１は、パート２の以前に全体が転送される。
【０４２８】
−Ｔｙｐｅ  ＩのＣＳＩフィードバックに対して、パート１は、（報告された場合）ＲＩ、（報告された場合）ＣＲＩ、第一のコードワード（ｃｏｄｅｗｏｒｄ）のＣＱＩを含む。
【０４２９】
パート２はＰＭＩを含み、ＲＩ＞４である時、第二のコードワードに対するＣＱＩを含む。
【０４３０】
−Ｔｙｐｅ  ＩＩのＣＳＩフィードバックに対して、パート１は固定されたペイロードサイズを有し、ＲＩ、ＣＱＩ及びＴｙｐｅ  ＩＩのＣＳＩに対する層当たりノンゼロ広帯域振幅係数の個数に対する指示（ＮＺＢＩ）を含む。
【０４３１】
パート１で、ＲＩ、ＣＱＩ及びＮＺＢＩは別にエンコーディングされる。
【０４３２】
パート２は、Ｔｙｐｅ  ＩＩのＣＳＩのＰＭＩを含む。
【０４３３】
パート１とパート２は別にエンコーディングされる。
【０４３４】
ＰＵＳＣＨ上で運ばれるＴｙｐｅ  ＩＩのＣＳＩ報告は、ＰＵＣＣＨフォーマット１、３または４で運ばれる全てのＴｙｐｅ  ＩＩのＣＳＩ報告と独立に計算される。
【０４３５】
上位層の媒介変数ｒｅｐｏｒｔＱｕａｎｔｉｔｙが「ｃｒｉ−ＲＳＲＰ」または「ｓｓｂ−Ｉｎｄｅｘ−ＲＳＲＰ」値のうち一つに設定されると、ＣＳＩフィードバックは一つの（単一）パートで構成される。
【０４３６】
ＰＵＣＣＨに対して設定されたが、ＰＵＳＣＨで転送されるＴｙｐｅ  Ｉ及びＴｙｐｅ  ＩＩのＣＳＩ報告に対して、エンコーディングスキーム（ｅｎｃｏｄｉｎｇ  ｓｃｈｅｍｅ）は、ＰＵＣＣＨのエンコーディング方式に従う。
【０４３７】
ＰＵＳＣＨでＣＳＩ報告が二つのパートを含み、報告すべきＣＳＩペイロードがＣＳＩ報告のために割り当てられたＰＵＳＣＨリソースで提供するペイロードの大きさよりも不足した場合、端末は、パート２のＣＳＩの一部を省略することができる。
【０４３８】
パート２のＣＳＩの省略（ｏｍｉｓｓｉｏｎ）は、優先順位によって決定され、Ｐｒｉｏｒｉｔｙ  ０が最も高い優先順位であり、優先順位
2020519214.tif 000050
は、最も低い優先順位を有する。
【０４３９】
ＰＵＣＣＨを用いたＣＳＩ報告（ＣＳＩ  ｒｅｐｏｒｔｉｎｇ  ｕｓｉｎｇ  ＰＵＣＣＨ）
【０４４０】
端末は、ＰＵＣＣＨ上で周期的なＣＳＩ報告を遂行するために、上位層により半静的に（ｓｅｍｉ−ｓｔａｔｉｃａｌｌｙ）構成される。
【０４４１】
端末は、関連したＣＳＩ測定リンク及びＣＳＩリソース設定が上位層に設定された一つ以上の上位層に設定されたＣＳＩ報告設定指示に該当する多数の周期的ＣＳＩ報告に対して上位層に設定されることができる。
【０４４２】
ＰＵＣＣＨフォーマット２、３または４で、周期的ＣＳＩ報告は、広帯域単位でＴｙｐｅ  ＩのＣＳＩを支援する。
【０４４３】
ＰＵＳＣＨ上でＳＰ  ＣＳＩに対して、端末は、選択命令を運ぶＰＤＳＣＨに対応するＨＡＲＱ−ＡＣＫがスロットｎで転送された後、スロット
2020519214.tif 000051
から始めて適用されたＰＵＣＣＨでＳＰＣＳＩ報告を遂行する。
【０４４４】
前記選択命令は、関連するＣＳＩリソース設定が設定される一つ以上の報告設定指示を含む。
【０４４５】
ＰＵＣＣＨでＳＰ  ＣＳＩ報告はＴｙｐｅ  ＩのＣＳＩを支援する。
【０４４６】
ＰＵＣＣＨフォーマット２に対するＳＰ  ＣＳＩ報告は、広帯域の周波数細分性を有するＴｙｐｅ  ＩのＣＳＩを支援する。ＰＵＣＣＨフォーマット３または４で、ＳＰ  ＣＳＩ報告は、広帯域の周波数細分性を有するＴｙｐｅＩのサブバンドＣＳＩ及びＴｙｐｅ  ＩＩのＣＳＩを支援する。
【０４４７】
ＰＵＣＣＨが広帯域の周波数細分性を有するＴｙｐｅ  ＩのＣＳＩを運ぶとき、ＰＵＣＣＨフォーマット２及びＰＵＣＣＨフォーマット３または４によって運ばれるＣＳＩペイロードは、（報告された場合）ＲＩ、（報告された場合）ＣＲＩと関係なく同一である。
【０４４８】
ＰＵＣＣＨフォーマット３または４で、Ｔｙｐｅ  ＩのＣＳＩサブバンド報告の場合、ペイロードは二つのｐａｒｔに分離される。
【０４４９】
第一のパート（パート１）は、（報告された場合）ＲＩ、（報告された場合）ＣＲＩ、第一のコードワードのＣＱＩを含む。
【０４５０】
第二のパート（パート２）はＰＭＩを含み、ＲＩ＞４であるとき、第二のコードワードに対するＣＱＩを含む。
【０４５１】
ＰＵＣＣＨフォーマット３または４で運ばれるＳＰ  ＣＳＩ報告は、Ｔｙｐｅ  ＩＩのＣＳＩフィードバックを支援するが、Ｔｙｐｅ  ＩＩのＣＳＩフィードバックのパート１のみ支援する。
【０４５２】
Ｔｙｐｅ  ＩＩを支援するＰＵＣＣＨフォーマット３または４で、ＣＳＩ報告は、ＵＥ  ｃａｐａｂｉｌｉｔｙに依存することができる。
【０４５３】
ＰＵＣＣＨフォーマット３または４で運ばれるＴｙｐｅ  ＩＩのＣＳＩ報告（パート１のみ該当）は、ＰＵＳＣＨで運ばれるＴｙｐｅ  ＩＩのＣＳＩ報告と独立に計算される。
【０４５４】
端末がＰＵＣＣＨフォーマット２、３または４でＣＳＩ報告に設定されるとき、それぞれのＰＵＣＣＨリソースは、それぞれの候補（ｃａｎｄｉｄａｔｅ）ＵＬ  ＢＷＰに対して設定される。
【０４５５】
端末がＰＵＣＣＨでａｃｔｉｖｅ  ＳＰ  ＣＳＩ  ｒｅｐｏｒｔ  ｃｏｎｆｉｇｕｒａｔｉｏｎの設定を受け、非活性化命令（ｄｅａｃｔｉｖａｔｉｏｎｃｏｍｍａｎｄ）を受信しない場合、ＣＳＩ報告が行われるＢＷＰがａｃｔｉｖｅ  ＢＷＰであるときにＣＳＩ報告が遂行され、そうでない場合、ＣＳＩ報告は一時中止される。前記動作は、Ｐ  ＣＳＩ  ｏｎ  ＰＵＣＣＨの場合も同様に適用される。ＰＵＳＣＨベースのＳＰ  ＣＳＩ報告に対して、ＢＷＰ  ｓｗｉｔｃｈｉｎｇが発生すると、該当ＣＳＩ報告は自動的に非活性化されるものと理解する。
【０４５６】
表１０は、ＰＵＣＣＨフォーマットの一例を示す。
【０４５７】
【表１０】
2020519214.tif 000052
【０４５８】
表１０で、
2020519214.tif 000053
はＯＦＤＭシンボルでＰＵＣＣＨ転送の長さを示す。
【０４５９】
また、ＰＵＣＣＨ転送の長さに応じて、ＰＵＣＣＨフォーマットは短いＰＵＣＣＨまたは長いＰＵＣＣＨに区分される。
【０４６０】
表１０で、ＰＵＣＣＨのフォーマット０及び２は、短いＰＵＣＣＨと、ＰＵＣＣＨフォーマット１、３及び４は、長いＰＵＣＣＨと呼ばれることができる。
【０４６１】
以下、ＰＵＣＣＨベースのＣＳＩ報告に対して、短いＰＵＣＣＨベースのＣＳＩ報告及び長いＰＵＣＣＨベースのＣＳＩ報告に区分し、より具体的に見る。
【０４６２】
図１７は、短いＰＵＣＣＨベースのＣＳＩ報告の情報ペイロードに対する一例を示す。
【０４６３】
短いＰＵＣＣＨベースのＣＳＩ報告は、広帯域ＣＳＩ報告に対してのみ用いられる。
【０４６４】
短いＰＵＣＣＨベースのＣＳＩ報告は、（ブラインドデコーディングを避けるために）与えられたスロットで、ＲＩ／ＣＲＩと関係なく、同一の情報ペイロードを有する。
【０４６５】
前記情報ペイロードのサイズは、ＣＳＩ−ＲＳリソースセット内で設定されたＣＳＩ−ＲＳの最も多いＣＳＩ−ＲＳポートに応じて互いに異なることができる。
【０４６６】
ＰＭＩとＣＱＩを含むペイロードがＲＩ／ＣＱＩと多様化されるとき、パディングビット（ｐａｄｄｉｎｇ  ｂｉｔ）は、互いに異なるＲＩ／ＣＲＩ値と関連したペイロードを等しくするためのエンコーディングに先だって、ＲＩ／ＣＲＩ／ＰＭＩ／ＣＱＩに追加される。
【０４６７】
また、ＲＩ／ＣＲＩ／ＰＭＩ／ＣＱＩは、必要な場合、パディングビットと共にエンコーディングされることができる。
【０４６８】
次に、長いＰＵＣＣＨベースのＣＳＩ報告について見る。
【０４６９】
図１８は、長いＰＵＣＣＨベースのＣＳＩ報告の情報ペイロードに対する一例を示す。
【０４７０】
前記長いＰＵＣＣＨベースのＣＳＩ報告は、広帯域報告に対して、短いＰＵＣＣＨと同一のソリューションを用いることができる。
【０４７１】
また、長いＰＵＣＣＨベースのＣＳＩ報告は、ＲＩ／ＣＲＩと関係なく、同一のペイロードを有する。
【０４７２】
さらに、サブバンド報告に対して、Ｔｗｏ−ｐａｒｔ  ｅｎｃｏｄｉｎｇ（Ｆｏｒ  Ｔｙｐｅ  Ｉ）が適用される。
【０４７３】
Ｐａｒｔ  １（１８１０）は、ポートの数、ＣＳＩ  ｔｙｐｅ、ＲＩ制限等によって固定されたペイロードを有し、パート２（１８２０）は、パート１によって多様なペイロードのサイズを有することができる。
【０４７４】
ＣＲＩ／ＲＩは、ＰＭＩ／ＣＱＩのペイロードを決定するために、第一にデコーディングされることができる。
【０４７５】
また、ＣＱＩｉ（ｉ＝１、２）は、ｉ番目（ｉ−ｔｈ）のコードワード（ｃｏｄｅｗｏｒｄ、ＣＷ）に対するＣＱＩに対応する。
【０４７６】
長いＰＵＣＣＨに対して、Ｔｙｐｅ  ＩＩのＣＳＩ報告は、パート１のみ運ばれることができる。
【０４７７】
ビーム失敗検出（ｂｅａｍ  ｆａｉｌｕｒｅ  ｄｅｔｅｃｔｉｏｎ、ＢＦＤ）及びビーム失敗復旧（ｂｅａｍ  ｆａｉｌｕｒｅ  ｒｅｃｏｖｅｒｙ、ＢＦＲ）手続き
【０４７８】
次に、ビーム失敗検出（ｂｅａｍ  ｆａｉｌｕｒｅ  ｄｅｔｅｃｔｉｏｎ）及びビーム失敗復旧（ｂｅａｍ  ｆａｉｌｕｒｅ  ｒｅｃｏｖｅｒｙ）手続について見る。
【０４７９】
ビームフォーミングされた（Ｂｅａｍｆｏｒｍｅｄ）システムで、ＲＬＦ（Ｒａｄｉｏ  Ｌｉｎｋ  Ｆａｉｌｕｒｅ）は、端末の回転（ｒｏｔａｔｉｏｎ）、移動（ｍｏｖｅｍｅｎｔ）またはｂｅａｍ  ｂｌｏｃｋａｇｅによってよく発生し得る。
【０４８０】
従って、ＲＬＦがよく発生することを防止するために、ＢＦＲがＮＲで支援される。
【０４８１】
ＢＦＲは、無線リンク失敗復旧（ｒａｄｉｏ  ｌｉｎｋ  ｆａｉｌｕｒｅ  ｒｅｃｏｖｅｒｙ）手続と類似し、端末が新しい候補ビームを知る場合に支援されることができる。
【０４８２】
理解の便宜のために、（１）無線リンクモニタリング（ｒａｄｉｏ  ｌｉｎｋｍｏｎｉｔｏｒｉｎｇ）、及び（２）リンク復旧（ｌｉｎｋ  ｒｅｃｏｖｅｒｙ）手続について、まず簡略に見る。
【０４８３】
無線リンクモニタリング（ｒａｄｉｏ  ｌｉｎｋ  ｍｏｎｉｔｏｒｉｎｇ）
【０４８４】
プライマリセル（Ｐｒｉｍａｒｙ  ｃｅｌｌ）のダウンリンク無線リンクの品質は、上位層にｏｕｔ−ｏｆ−ｓｙｎｃまたはｉｎ−ｓｙｎｃの状態を指示するための目的で端末によってモニタリングされる。
【０４８５】
本明細書で用いるセルは、コンポーネントキャリア（ｃｏｍｐｏｎｅｎｔ  ｃａｒｒｉｅｒ）、キャリア、ＢＷ等で表現されることもできる。
【０４８６】
端末は、プライマリセル上のａｃｔｉｖｅ  ＤＬ  ＢＷＰ以外のＤＬ  ＢＷＰでダウンリンク無線リンクの品質をモニタリングする必要はない。
【０４８７】
端末は、上位層のパラメータｆａｉｌｕｒｅＤｅｔｅｃｔｉｏｎＲｅｓｏｕｒｃｅｓによって無線リンクのモニタリングのための（上位層のパラメータ）ＲａｄｉｏＬｉｎｋＭｏｎｉｔｏｒｉｎｇＲＳの対応するセットを介して、リソースインデックスのセットを有するＳｐＣｅｌｌの各ＤＬ  ＢＷＰに対して設定されることができる。
【０４８８】
ＣＳＩ−ＲＳ  ｒｅｓｏｕｒｃｅ  ｃｏｎｆｉｇｕｒａｔｉｏｎ  ｉｎｄｅｘ（ｃｓｉ−ＲＳ−Ｉｎｄｅｘ）またはＳＳ／ＰＢＣＨ  ｂｌｏｃｋ  ｉｎｄｅｘ（ｓｓｂ−Ｉｎｄｅｘ）を有する上位層のパラメータＲａｄｉｏＬｉｎｋＭｏｎｉｔｏｒｉｎｇＲＳが端末に提供される。
【０４８９】
ＲａｄｉｏＬｉｎｋＭｏｎｉｔｏｒｉｎｇＲＳが端末に提供されず、端末がＣＳＩ−ＲＳ及び／又はＳＳ／ＰＢＣＨブロックのうちの一つ以上を含む一つ以上のＲＳを含むＰＤＣＣＨに対するＴＣＩ−ｓｔａｔｅが提供される場合、
【０４９０】
−ＰＤＣＣＨに対するａｃｔｉｖｅ  ＴＣＩ−ｓｔａｔｅが一つのＲＳのみを含む場合、ＵＥはＰＤＣＣＨに対するａｃｔｉｖｅ  ＴＣＩ−ｓｔａｔｅに対して提供されたＲＳを無線リンクのモニタリングのために用いる。
【０４９１】
−ＰＤＣＣＨに対するａｃｔｉｖｅ  ＴＣＩ−ｓｔａｔｅが二つのＲＳを含む場合、端末は、一つのＲＳはＱＣＬ−ＴｙｐｅＤを有し、端末が無線リンクのモニタリングのために一つのＲＳを用いると期待する。ここで、端末は、二つのＲＳがいずれもＱＣＬ−ＴｙｐｅＤを有すると期待しない。
【０４９２】
−端末は、非周期的ＲＳを無線リンクのモニタリングのために用いない。
【０４９３】
下記の表１１は、ＲａｄｉｏＬｉｎｋＭｏｎｉｔｏｒｉｎｇＣｏｎｆｉｇ  ＩＥの一例を示す。
【０４９４】
前記ＲａｄｉｏＬｉｎｋＭｏｎｉｔｏｒｉｎｇＣｏｎｆｉｇ  ＩＥは、ビーム失敗及び／又はセル無線リンク失敗（ｃｅｌｌ  ｒａｄｉｏ  ｌｉｎｋ  ｆａｉｌｕｒｅ）の検出のための無線リンクのモニタリングを設定するために用いる。
【０４９５】
【表１１】
2020519214.tif 000054
【０４９６】
表１１で、ｂｅａｍＦａｉｌｕｒｅＤｅｔｅｃｔｉｏｎＴｉｍｅｒのパラメータは、ビーム失敗検出のためのタイマーである。
【０４９７】
ｂｅａｍＦａｉｌｕｒｅＩｎｓｔａｎｃｅＭａｘＣｏｕｎｔのパラメータは、どのぐらいビーム失敗のイベント後に端末がビーム失敗復旧をトリガーするかを示す。
【０４９８】
Ｖａｌｕｅ  ｎ１は、１  ｂｅａｍ  ｆａｉｌｕｒｅ  ｉｎｓｔａｎｃｅに対応し、ｖａｌｕｅ  ｎ２は、２  ｂｅａｍ  ｆａｉｌｕｒｅ  ｉｎｓｔａｎｃｅｓに対応する。ネットワークが該当フィールドを再構成する場合、端末はｏｎ−ｇｏｉｎｇｂｅａｍＦａｉｌｕｒｅＤｅｔｅｃｔｉｏｎＴｉｍｅｒ及びｂｅａｍＦａｉｌｕｒｅＩｎｓｔａｎｃｅＭａｘＣｏｕｎｔと関連したカウンターをリセットする。
【０４９９】
もし、該当フィールドが存在しない場合、端末はビーム失敗復旧をトリガーしない。
【０５００】
表１２は、ＢｅａｍＦａｉｌｕｒｅＲｅｃｏｖｅｒｙＣｏｎｆｉｇ  ＩＥの一例を示す。
【０５０１】
前記ＢｅａｍＦａｉｌｕｒｅＲｅｃｏｖｅｒｙＣｏｎｆｉｇ  ＩＥは、ビーム失敗検出の状況で、ビーム失敗復旧のためのＲＡＣＨリソースと、候補ビームをＵＥに設定するために用いられる。
【０５０２】
【表１２】
2020519214.tif 000055
【０５０３】
表１２で、ｂｅａｍＦａｉｌｕｒｅＲｅｃｏｖｅｒｙＴｉｍｅｒのパラメータは、ビーム失敗復旧のためのタイマーを示すパラメータであって、その値はｍｓに設定される。
【０５０４】
ｃａｎｄｉｄａｔｅＢｅａｍＲＳＬｉｓｔのパラメータは、復旧のための候補ビームと関連したＲＡ（ｒａｎｄｏｍ  ａｃｃｅｓｓ）のパラメータを識別するための参照信号（ＣＳＩ−ＲＳ及び／又はＳＳＢ）のリストを示す。
【０５０５】
ＲｅｃｏｖｅｒｙＳｅａｒｃｈＳｐａｃｅＩｄのパラメータは、ＢＦＲ  ＲＡＲ（ｒａｎｄｏｍ  ａｃｃｅｓｓ  ｒｅｓｐｏｎｓｅ）のために用いられる検索空間（ｓｅａｒｃｈ  ｓｐａｃｅ）を示す。
【０５０６】
無線リンクの品質が無線リンクのモニタリングのためのリソースのセット内の全てのリソースに対する臨界値Ｑｏｕｔより悪いとき、ＵＥの物理層は、無線リンクの品質が評価されるフレームで、上位層にｏｕｔ−ｏｆ−ｓｙｎｃを指示する。
【０５０７】
無線リンクのモニタリングのためのリソースセット内の任意のリソースに対する無線リンクの品質が臨界値Ｑｉｎよりもよい場合、ＵＥの物理層は、無線リンクの品質が評価されるフレームで、ｉｎ−ｓｙｎｃを上位層に指示する。
【０５０８】
リンク復旧（ｌｉｎｋ  ｒｅｃｏｖｅｒｙ）手続
【０５０９】
サービングセルに対して、端末は上位層のパラメータｆａｉｌｕｒｅＤｅｔｅｃｔｉｏｎＲｅｓｏｕｒｃｅｓによって、周期的ＣＳＩ−ＲＳリソース設定インデックスのｑ０セットと、サービングセル上で無線リンクの品質測定のためのｃａｎｄｉｄａｔｅＢｅａｍＲＳＬｉｓｔによって、周期的ＣＳＩ−ＲＳリソース設定インデックス及び／又はＳＳ／ＰＢＣＨブロックインデックスのｑ１セットが提供される。
【０５１０】
もし、端末がｆａｉｌｕｒｅＤｅｔｅｃｔｉｏｎＲｅｓｏｕｒｃｅｓの提供を受けることができない場合、端末は、自身がＰＤＣＣＨのモニタリングのために用いる各コントロールリソースセットに対するＴＣＩ状態により指示されるＲＳセット内のＲＳインデックスと同一の値を有するＳＳ／ＰＢＣＨブロックインデックス及び周期的なＣＳＩ−ＲＳリソース設定インデックスを含むようにｑ０セットを決定する。
【０５１１】
臨界値Ｑｏｕｔ＿ＬＲは、上位層のパラメータｒｌｍＩｎＳｙｎｃＯｕｔＯｆＳｙｎｃＴｈｒｅｓｈｏｌｄのデフォルト値と、上位層のパラメータｒｓｒｐ−ＴｈｒｅｓｈｏｌｄＳＳＢによって提供される値にそれぞれ対応する。
【０５１２】
端末の物理層は、臨界Ｑｏｕｔ＿ＬＲに対するリソース設定（ｒｅｓｏｕｒｃｅ  ｃｏｎｆｉｇｕｒａｔｉｏｎ）のｑｏセットによって無線リンクの品質を評価する。
【０５１３】
セットｑ０に対して、端末は自身によってモニターされるＰＤＣＣＨのＤＭ−ＲＳの受信と、ｑｕａｓｉ  ｃｏ−ｌｏｃａｔｅされている周期的ＣＳＩ−ＲＳリソース設定と、ＳＳＢによってのみ無線リンクの品質を評価する。
【０５１４】
端末は、ＳＳ／ＰＢＣＨブロックから得られたＬ１−ＲＳＲＰ測定値にＱｉｎ＿ＬＲの臨界値を適用する。
【０５１５】
端末は、それぞれのＣＳＩ−ＲＳの受信電力をｐｏｗｅｒＣｏｎｔｒｏｌＯｆｆｓｅｔＳＳによって提供された値にスケーリングした後、ＣＳＩ−ＲＳのリソースに対して獲得されたＬ１−ＲＳＲＰの測定値にＱｉｎ＿ＬＲの臨界値を適用する。
【０５１６】
端末の物理層は、ＵＥが無線リンクの品質を評価するために用いるセット内のすべての対応するリソース構成に対する無線リンクの品質が臨界値Ｑｏｕｔ＿ＬＲより悪いとき、上位層に指示を提供する。
【０５１７】
前記物理層は、無線リンクの品質が周期的ＣＳＩ−ＲＳの構成または端末が無線リンクの品質を評価するために用いるｑ０セットで、ＳＳ／ＰＢＣＨブロックの最短周期と２ｍｓｅｃとの間の最大値に決定される周期を有する臨界Ｑｏｕｔ＿ＬＲより悪いとき、上位層に知らせる。
【０５１８】
上位層からの要求によって、端末はｑ１セットから周期的なＣＳＩ−ＲＳ構成インデックス及び／又はＳＳ／ＰＢＣＨブロックインデックスと、対応する臨界値よりも大きいかまたは同一である、相応するＬ１−ＲＳＲＰの測定値を上位層に提供する。
【０５１９】
端末は、コントロールリソースセットでＰＤＣＣＨをモニタリングするためにｒｅｃｏｖｅｒｙＳｅａｒｃｈＳｐａｃｅＩｄによって提供される検索空間セットとリンクを介してコントロールリソースセットが提供されることができる。
【０５２０】
もし、端末がｒｅｃｏｖｅｒｙＳｅａｒｃｈＳｐａｃｅＩｄの提供を受ける場合、端末はｒｅｃｏｖｅｒｙＳｅａｒｃｈＳｐａｃｅＩｄによって提供される検索空間セットと関連した制御リソースセットでＰＤＣＣＨをモニタリングするためにまた別の検索空間が提供されると期待しない。
【０５２１】
前記で見たＢＦＤ（ｂｅａｍ  ｆａｉｌｕｒｅ  ｄｅｔｅｃｔｉｏｎ）及びＢＦＲ（ｂｅａｍ  ｆａｉｌｕｒｅ  ｒｅｃｏｖｅｒｙ）手続について続いて説明する。
【０５２２】
ビーム失敗がｓｅｒｖｉｎｇ  ＳＳＢまたはＣＳＩ−ＲＳ上で検出されるとき、サービング基地局に新しいＳＳＢまたはＣＳＩ−ＲＳを指示するために用いられるビーム失敗復旧手続がＲＲＣにより設定されることができる。
【０５２３】
ＲＲＣは、ビーム失敗検出及び復旧手続に対して、ＢｅａｍＦａｉｌｕｒｅＲｅｃｏｖｅｒｙＣｏｎｆｉｇを設定する。
【０５２４】
図１９は、ビーム失敗復旧手続の一例を示すフローチャートである。
【０５２５】
ＢＦＲ手続は、（１）ビーム失敗検出段階（Ｓ１９１０）、（２）新しいビーム識別段階（Ｓ１９２０）、（３）ＢＦＲＱ（Ｂｅａｍ  ｆａｉｌｕｒｅ  ｒｅｃｏｖｅｒｙ  ｒｅｑｕｅｓｔ）段階（Ｓ１９３０）、及び（４）基地局からＢＦＲＱに対する応答をモニタリングする段階（Ｓ１９４０）を含むことができる。
【０５２６】
ここで、（３）の段階、即ち、ＢＦＲＱ転送のために、ＰＲＡＣＨ  ｐｒｅａｍｂｌｅまたはＰＵＣＣＨが用いられることができる。
【０５２７】
前記の（１）の段階、即ち、ビーム失敗検出についてより具体的に見る。
【０５２８】
全てのサービングビームのＢＬＥＲ（ｂｌｏｃｋ  ｅｒｒｏｒ  ｒａｔｅ）が臨界値以上であるとき、ビーム失敗インスタンスと呼ばれる。
【０５２９】
端末がモニタリングすべきＲＳ（ｑｏ）は、ＲＲＣによって明示的に設定されるか、または暗示的にコントロールチャンネルのためのビームＲＳによって決定される。
【０５３０】
上位層にビーム失敗インスタンスの指示は周期的であり、指示の間隔はＢＦＤ（ｂｅａｍ  ｆａｉｌｕｒｅ  ｄｅｔｅｃｔｉｏｎ）ＲＳの最も低い周期によって決定される。
【０５３１】
もし、評価がビーム失敗インスタンスのＢＬＥＲ臨界値より低いとき、上位層への指示は遂行されない。
【０５３２】
Ｎ個の連続的なビーム失敗インスタンスが発生する場合、ビーム失敗が宣言（ｄｅｃｌａｒｅ）される。
【０５３３】
ここで、Ｎは、ＲＲＣにより設定されるＮｒｏｆＢｅａｍＦａｉｌｕｒｅＩｎｓｔａｎｃｅのパラメータである。
【０５３４】
１−ポートのＣＳＩ−ＲＳ及びＳＳＢがＢＦＤ  ＲＳセットに対して支援される。
【０５３５】
次に、（２）の段階、即ち、新しいビームの指示について見る。
【０５３６】
ネットワーク（ＮＷ）は、一つまたは多数のＰＲＡＣＨリソース／シーケンスを端末に設定することができる。
【０５３７】
ＰＲＡＣＨシーケンスは、少なくとも一つの新しい候補ビーム（ｃａｎｄｉｄａｔｅ  ｂｅａｍ）にマッピングされる。
【０５３８】
端末は、Ｌ１−ＲＳＲＰがＲＲＣに設定された臨界値（ｔｈｒｅｓｈｏｌｄ）以上である候補ビームの間で新しいビームを選択し、前記選択されたビームを介して、ＰＲＡＣＨを転送する。このとき、端末がどのビームを選択するかは端末具現のイッシュであり得る。
【０５３９】
次に、（３）及び（４）の段階、即ち、ＢＦＲＱ転送及びＢＦＲＱに対する応答のモニタリングについて見る。
【０５４０】
端末は、ウィンドウ（ｗｉｎｄｏｗ）の時間持続区間（ｔｉｍｅ  ｄｕｒａｔｉｏｎ）及びＢＦＲＱに対する基地局の応答をモニタリングするために、ＲＲＣによってｄｅｄｉｃａｔｅｄ  ＣＯＲＥＳＥＴが設定されることができる。
【０５４１】
端末は、ＰＲＡＣＨ転送の４スロット後にモニタリングを始める。
【０５４２】
端末は、ｄｅｄｉｃａｔｅｄ  ＣＯＲＥＳＥＴがビーム失敗復旧要求でＵＥ−識別された候補ビームのＤＬ  ＲＳと空間ＱＣＬされていると仮定する。
【０５４３】
もし、タイマーが満了となるか、またはＰＲＡＣＨ転送の数が最大数に到達すると、端末は、ＢＦＲ手続を中断する。
【０５４４】
ここで、ＰＲＡＣＨ転送の最大数とタイマーは、ＲＲＣに設定される。
【０５４５】
ＮＲ（Ｎｅｗ  Ｒａｄｉｏ）システムは、微細な（ｆｉｎｅ）時間／周波数トラッキング（ｔｉｍｅ／ｆｒｅｑｕｅｎｃｙ  ｔｒａｃｋｉｎｇ）のための参照信号（ｒｅｆｅｒｅｎｃｅ  ｓｉｇｎａｌ、ＲＳ）を設計（ｄｅｓｉｇｎ）する方法と、前記時間／周波数トラッキング用ＲＳを端末に設定（または指示）する方法を定義する。
【０５４６】
より具体的に、ＲＲＣ連結（またはＲＲＣ＿ｃｏｎｎｅｃｔｅｄ  ｓｔａｔｅ）の以前、端末は、ＰＢＣＨ（ｐｈｙｓｉｃａｌ  ｂｒｏａｄｃａｓｔ  ｃｈａｎｎｅｌ）ＤＭＲＳ（ｄｅｍｏｄｕｌａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎｓｉｇｎａｌ）等のような初期接続（ｉｎｉｔｉａｌ  ａｃｃｅｓｓ）のための信号を用いて、時間及び／又は周波数トラッキングを遂行することができる。
【０５４７】
ここで、時間／周波数トラッキングは、端末で信号の送受信と関連して時間／周波数を合わせる（または追跡する）手続を意味することができる。
【０５４８】
本明細書で用いる「Ａ及び／又はＢ」の表現は、「Ａ又はＢのうちの少なくとも一つを含む」と同一の意味と解釈され得る。
【０５４９】
また、ＲＲＣ連結が確立された場合（またはＲＲＣ  ｃｏｎｎｅｃｔｅｄ  ｓｔａｔｅ）、端末は、より精密な時間／周波数トラッキングのためのＲＳを基地局から設定を受けることができる。
【０５５０】
ＲＲＣ連結状態は、ＲＲＣ連結モードとも表現されることができる。
【０５５１】
以下で、時間／周波数トラッキングのために用いられるＲＳを「ＴＲＳ（ｔｒａｃｋｉｎｇ  ｒｅｆｅｒｅｎｃｅ  ｓｉｇｎａｌ）」と表現することとする。
【０５５２】
ＴＲＳを端末に設定するために二つの方法が考慮されることができる。
【０５５３】
第一の方法は、ＴＲＳと名称される（他のＲＳとは区分される）別途のＲＳを規定した後、これを明示的に（ｅｘｐｌｉｃｉｔ）設定する方法である。
【０５５４】
第二の方法は、ＣＳＩ−ＲＳ設定（のうちの一部）を用いて、トラッキング用途のＲＳを設定すると、端末が自体的に時間／周波数トラッキングの精度を向上させる方法である。
【０５５５】
即ち、第一の方法は、ＴＲＳに対する明示的設定方法を言い、第二の方法は、ＴＲＳに対する暗示的設定方法を言うことができる。
【０５５６】
また、ＮＲで定義するＴＲＳは、ＬＴＥで定義されたＣＲＳ（ｃｅｌｌ−ｓｐｅｃｉｆｉｃ  ＲＳ）と、時間／周波数トラッキング機能という側面で同一であるが、ＴＲＳはセル固有（ｃｅｌｌ−ｓｐｅｃｉｆｉｃ）に転送されないという点で、ＬＴＥのＣＲＳと差異点がある。
【０５５７】
それでは、本明細書で提案するＴＲＳの設計方法及びＴＲＳの設定方法について具体的に見る。
【０５５８】
基地局は端末に下記の特徴（（１）乃至（４））を有するＣＳＩ−ＲＳを時間／周波数トラッキング用に明示的にまたは暗示的に設定することができる。
【０５５９】
（１）単一または複数の１−ポート（ｓｉｎｇｌｅ  ｏｒ  ｍｕｌｔｉｐｌｅ  １−ｐｏｒｔ）ＣＳＩ−ＲＳリソース
【０５６０】
前記１−ポートＣＳＩ−ＲＳリソースは、周期的であり、特定の信号とＱＣＬ（ｑｕａｓｉ  ｃｏ−ｌｏｃａｔｉｏｎ）されることができる。
【０５６１】
ＣＳＩ−ＲＳリソースは、ＣＳＩ−ＲＳの転送（または受信）パターンを示すものであって、少なくとも一つのＲＥ（ｓ）を含み、アンテナポート、ＣＤＭ（ｃｏｄｅ  ｄｉｖｉｓｉｏｎ  ｍｕｌｔｉｐｌｅｘｉｎｇ）方式等と関連する。
【０５６２】
前記複数の（１−ポート）ＣＳＩ−ＲＳリソースは、同一の周期を有し、同一のスロット（ｓｌｏｔ）または連続的なスロットで転送される特徴を有する。
【０５６３】
例えば、複数のＣＳＩ−ＲＳリソース間のスロットオフセット（ｓｌｏｔ  ｏｆｆｓｅｔ）は、０、１または２に設定されることができる。
【０５６４】
複数のＣＳＩ−ＲＳリソース間のスロットオフセットが同一である場合、スロット内で各ＣＳＩ−ＲＳリソースのシンボル（ｓｙｍｂｏｌ）の位置は互いに異なり、シンボルの位置は非−連続的な（ｎｏｎ−ｃｏｎｓｅｃｕｔｉｖｅ）特徴、即ち、互いに異なるＣＳＩ−ＲＳリソースのシンボルの位置は一定値以上のシンボル間隔を有する特徴をさらに有することができる。
【０５６５】
即ち、端末は、ＣＳＩ−ＲＳ（リソース）が連続的な（ｃｏｎｓｅｃｕｔｉｖｅ）シンボルに存在する場合を期待しない。
【０５６６】
または、もしＣＳＩ−ＲＳが連続的なシンボルに存在する場合、該当ＣＳＩ−ＲＳは、ＴＲＳ用途ではない他の用途に（例えば、ビーム管理）用いられると定義されることができる。
【０５６７】
さらに、前記複数のＣＳＩ−ＲＳリソースの間には、ＱＣＬ（ｑｕａｓｉ−ｃｏ−ｌｏｃａｔｅｄ）されていることが仮定（または指示）されることができる。
【０５６８】
（２）特定のＲＥパターンの特徴を有することができる。
【０５６９】
Ｎｏ  ＣＤＭ（ｃｏｄｅ  ｄｉｖｉｓｉｏｎ  ｍｕｌｔｉｐｌｅｘｉｎｇ）が定義されることができる。即ち、ＴＲＳまたはＴＲＳ用途のＣＳＩ−ＲＳが時間及び周波数軸に１  ＲＥ（リソース要素）のみ占めることができる。
【０５７０】
また、周波数領域密度（ｆｒｅｑｕｅｎｃｙ  ｄｏｍａｉｎ  ｄｅｎｓｉｔｙ）は、１  ＲＥ／ＲＢ／ｐｏｒｔよりも大きいか、または同一であり得る。
【０５７１】
さらに、時間領域密度（ｔｉｍｅ  ｄｏｍａｉｎ  ｄｅｎｓｉｔｙ）は、１ＲＥ／ｓｌｏｔ／ｐｏｒｔよりも大きいか、または同一であり得る。
【０５７２】
もし、時間領域密度が１よりも大きい場合、ＣＳＩ−ＲＳが存在するシンボルが非−連続的な特徴を有する場合に限定されることができる。即ち、連続的なシンボルに存在するパターンは排除されることができる。
【０５７３】
（３）ＴＲＳの設定は、ビーム管理（ＢＭ）に用いられるＣＳＩ−ＲＳリソースタイプに設定される場合のみに限定して設定（または適用）されることができる。
【０５７４】
即ち、１−ポートリソースの場合であっても、ＣＳＩ獲得（ａｃｑｕｉｓｉｔｉｏｎ）のためのＣＳＩ−ＲＳタイプは、ＴＲＳ用途に用いられることができないように制限されることができる。
【０５７５】
（４）ＴＲＳ用途のＣＳＩ−ＲＳは、周期的にまたは半永続的（ｓｅｍｉ−ｐｅｒｓｉｓｔｅｎｔ）に転送され、時間領域測定制限（ｔｉｍｅ  ｄｏｍａｉｎ  ｍｅａｓｕｒｅｍｅｎｔ  ｒｅｓｔｒｉｃｔｉｏｎ）が「ＯＦＦ」となる特徴を有することができる。
【０５７６】
前記で見た方法のうち、多数の１−ポートＣＳＩ−ＲＳリソースを併合（ａｇｇｒｅｇａｔｉｏｎ）してＴＲＳを設定する方法で、前記ＣＳＩ−ＲＳリソースは、すべてＱＣＬされることを仮定（または指示）すると見た。
【０５７７】
これは、Ｄｏｐｐｌｅｒ、Ｄｅｌａｙ、Ｇａｉｎ等のようなチャンネルの長期間特性（ｌｏｎｇ  ｔｅｒｍ  ｐｒｏｐｅｒｔｙ）と共に同一のビームを用いて転送するという観点から、空間Ｒｘパラメータの観点からも、ＱＣＬされるということを意味することができる。
【０５７８】
さらに、ＴＲＳを構成するＣＳＩ−ＲＳの間には、短期間チャンネル特性（ｓｈｏｒｔ  ｔｅｒｍ  ｃｈａｎｎｅｌ  ｐｒｏｐｅｒｔｙ）（例えば、ｐｈａｓｅ  ｏｆｆｓｅｔ、ｄｅｌａｙ  ｐｒｏｆｉｌｅ）も同一であることを保証（ｇｕａｒａｎｔｅｅ）することがより好ましい。
【０５７９】
または、該当ＣＳＩ−ＲＳリソースまたはポートの間には、互いに異なるリソース（またはポート）で経る無線チャンネルから相互間のチャンネルを推定（または推論（ｉｎｆｅｒ））することができるようにすることがより好ましい。
【０５８０】
参考までに、アンテナポート（ａｎｔｅｎｎａ  ｐｏｒｔ）は、アンテナポート上のシンボルが運ばれるチャンネルが同一のアンテナポート上の他のシンボルが運ばれるチャンネルから推論されることができるように定義される。
【０５８１】
従って、前記複数の１−ｐｏｒｔ  ＣＳＩ−ＲＳリソースの間にはＱＣＬよりも強い連関（ａｓｓｏｃｉａｔｉｏｎ）関係が仮定（または指示）されることがより好ましい。
【０５８２】
前記連関（ａｓｓｏｃｉａｔｉｏｎ）関係の一例として、同一のアンテナポートであることを仮定（または指示）する方法、またはアンテナポート／リソース間の短期間チャンネル特性まで同一であると指示するか、または相互間の同一のチャンネルと推論（ｉｎｆｅｒ）できるという関係を指示する新たな用語を定義（例えば、ＧＣＬ：ｇｅｎｕｉｎｅ  ｃｏ−ｌｏｃａｔｉｏｎ、ＩＡＰ：ｉｄｅｎｔｉｃａｌ  ａｎｔｅｎｎａ  ｐｏｒｔ）することができる。
【０５８３】
これを通じて、前記ＣＳＩ−ＲＳリソース（またはポート）間の該当関係（ＧＣＬまたはＩＡＰ）であることを仮定（または指示）する方法がさらに定義されることができる。
【０５８４】
ＧＣＬ（ｇｅｎｕｉｎｅ  ｃｏ−ｌｏｃａｔｉｏｎ）：一つのアンテナポート上のシンボルが伝達されるチャンネルの（短期的及び長期的）特性が他のアンテナポート上のシンボルが運ばれるチャンネルから推論されることができる場合、二つのアンテナポートはＧＣＬされると定義される。
【０５８５】
ＩＡＰ（ＩＡＰ：ｉｄｅｎｔｉｃａｌ  ａｎｔｅｎｎａ  ｐｏｒｔ）：一つのアンテナポート上のシンボルが伝達されるチャンネルが他のアンテナポート上のシンボルが転送されるチャンネルから推論されることができる場合、二つのアンテナポートが同一であると定義される。
【０５８６】
または、既存に定義された関係であるＱＣＬで定義された６つのパラメータ（ｄｅｌａｙ  ｓｐｒｅａｄ、Ｄｏｐｐｌｅｒ  ｓｐｒｅａｄ、Ｄｏｐｐｌｅｒ  ｓｈｉｆｔ、ａｖｅｒａｇｅ  ｇａｉｎ、ａｖｅｒａｇｅ  ｄｅｌａｙ、及びｓｐａｔｉａｌ  Ｒｘのパラメータ）以外に新しい（ｓｈｏｒｔ−ｔｅｒｍ）チャンネルのパラメータ（例：ｄｅｌａｙ  ｐｒｏｆｉｌｅ、Ｄｏｐｐｌｅｒ  ｐｒｏｆｉｌｅ、ｐｈａｓｅ  ｏｆｆｓｅｔ、ｉｎｓｔａｎｔａｎｅｏｕｓ  ｇａｉｎ等）を追加した後、該当ＣＳＩ−ＲＳリソース（またはポート）間に前記新しいチャンネルパラメータに対して（まで）ＱＣＬされることを仮定（または指示）することができる。
【０５８７】
また別の実施例として、ＴＲＳ設定において、下記のような方法がさらに定義されることができる。
【０５８８】
（１）ＣＳＩ獲得及びビーム管理の用途と定義されたリソース設定のうちの一部リソース設定（のうちの前記で見た（１）乃至（４）の特徴を有するＣＳＩ−ＲＳリソース）がＴＲＳ用途に設定されることができる。
【０５８９】
ＴＲＳ用途のリソース設定は、次の特徴を通じて区別できる。
【０５９０】
−どんな報告設定とも、リンケージ（ｌｉｎｋａｇｅ）のないリソース設定（ｒｅｓｏｕｒｃｅ  ｓｅｔｔｉｎｇ  ｗｉｔｈｏｕｔ  ｌｉｎｋａｇｅ  ｔｏ  ａｎｙ  ｒｅｐｏｒｔｉｎｇ  ｓｅｔｔｉｎｇｓ）、または
【０５９１】
−ヌル報告設定とリンケージ（ｌｉｎｋａｇｅ）を有するリソース設定（ｒｅｓｏｕｒｃｅ  ｓｅｔｔｉｎｇ  ｗｉｔｈ  ｌｉｎｋａｇｅ  ｔｏ  ＮＵＬＬ  ｒｅｐｏｒｔｉｎｇ  ｓｅｔｔｉｎｇ）、または
【０５９２】
ここで、ヌル報告設定は、（端末が基地局に）何ら情報も報告していないことを指示する報告設定（ａ  ｒｅｐｏｒｔ  ｓｅｔｔｉｎｇ  ｉｎｄｉｃａｔｉｎｇ  ｔｈａｔ  ａｎ  ＵＥ  ｄｏｅｓ  ｎｏｔ  ｎｅｅｄ  ｔｏ  ｒｅｐｏｒｔ  ａｎｙ  ｉｎｆｏｒｍａｔｉｏｎ  ｔｏ  ａ  ｇＮＢ）を意味することができる。
【０５９３】
−ＴＲＳ品質のフィードバック（例：Ｌ１−ＲＳＲＰ）に対する報告設定とリンケージ（ｌｉｎｋａｇｅ）を有するリソース設定（ｒｅｓｏｕｒｃｅ  ｓｅｔｔｉｎｇ  ｗｉｔｈ  ｌｉｎｋａｇｅ  ｔｏ  ｒｅｐｏｒｔｉｎｇ  ｓｅｔｔｉｎｇ  ｆｏｒ  ＴＲＳ  ｑｕａｌｉｔｙ  ｆｅｅｄｂａｃｋ）
【０５９４】
上記特徴は、他のリソース設定とは異なり、ＴＲＳ用途のＲＳは端末のチャンネル推定性能を高めるために用いられ、端末の報告用途として活用される必要がないためである。
【０５９５】
但し、例外的に、ＴＲＳ品質を基地局が確認するための目的でＲＳＲＰ報告等を報告設定に設定することもできる。
【０５９６】
従って、報告設定（ｒｅｐｏｒｔ  ｓｅｔｔｉｎｇ）が設定されていないリソース設定（及び／またはＴＲＳ品質報告が設定されたリソース設定）を介して、基地局が（周期的に）ＴＲＳを転送する場合、端末は該当リソースを介して時間／周波数トラッキングを遂行することができる。
【０５９７】
報告が除外された（またはＣＳＩ−ＲＳ品質報告が設定された）リソース設定は、ＴＲＳ用途だけでなく、Ｒｘビーム選択／改善の用途としても用いられることができる。
【０５９８】
即ち、基地局が同じビームでＣＳＩ−ＲＳを繰り返して（互いに異なるシンボルに）転送する場合、端末は受信ビーム（Ｒｘ  ｂｅａｍ）を変更しながら、Ｒｘビーム選択／改善（例：Ｐ−３用途）を遂行することができる。
【０５９９】
この場合、（改善された）受信ビームに対するビーム品質情報（Ｌ１−ＲＳＲＰまたはＣＱＩ）を端末が基地局に報告する手続が追加されることもできる。
【０６００】
前記Ｐ−３動作と、精密な時間／周波数トラッキングの動作は、基地局のＲＳ転送設定の側面で前記内容と同一であり得る。
【０６０１】
但し、端末の動作の側面で、前者は端末の受信ビームを変えながら信号を受信するため、トラッキングは可能ではないが、ビームの選択は可能である。
【０６０２】
また、後者は、端末が同じビームで受信しながらトラッキングの性能を高めることができるが、端末のビームの選択は可能ではないことがある。
【０６０３】
前記の二つの用途に対する区分のために、次の方式がさらに定義されることができる。
【０６０４】
−基地局がリソース設定にＰ−３用途であるか、またはＴＲＳ用途であるかを区分する指示子（ｉｎｄｉｃａｔｏｒ）を追加することができる。
【０６０５】
−Ｐ−３用途の場合、ＣＳＩ−ＲＳは連続的なシンボルに転送され、ＴＲＳ用途の場合、ＣＳＩ−ＲＳは不連続的なシンボルまたは一定のシンボル間隔をおいて転送される特徴を通じて、暗示的に（ｉｍｐｌｉｃｉｔ）区分されることができる。
【０６０６】
−Ｐ−３用途に用いるＣＳＩ−ＲＳシンボルに対して、端末が（受信）ビームを変えながらＣＳＩ−ＲＳを受信するため、他の信号（またはチャンネル、例：ＰＤＳＣＨ）と周波数領域の多重化（ｆｒｅｑｕｅｎｃｙ  ｄｏｍａｉｎ  ｍｕｌｔｉｐｌｅｘｉｎｇ、ＦＤＭ）されて同時に受信されることを許可しない。
【０６０７】
しかし、ＴＲＳ用途の場合、端末の（受信）ビームの変更がないので、他の信号（またはチャンネル）とＦＤＭとなり、同時受信を許可するという特徴を通じて、暗示的に区分できる。
【０６０８】
もし、ＣＳＩ−ＲＳとＰＤＳＣＨが多重化（ｍｕｌｔｉｐｌｅｘｉｎｇ）される場合、前記特徴は、該当ＣＳＩ−ＲＳシンボルがＰＤＳＣＨレートマッチングされるか否かを介して指示されることができる。
【０６０９】
参考までに、前記Ｐ−３用途は、ｃｏｍｂ  Ｘの形態で転送される単一のシンボルＣＳＩ−ＲＳを介しても可能である。
【０６１０】
その理由は、一つのシンボル区間の間、Ｘ回だけサブシンボルの形態の繰り返し信号が形成されるためである。
【０６１１】
−Ｐ−３用途の場合、非周期的にＣＳＩ−ＲＳが転送され、ＴＲＳ用途の場合、周期的或いは半永続的に（ｓｅｍｉ−ｐｅｒｓｉｓｔｅｎｔ）ＣＳＩ−ＲＳが転送される特徴を通じて、暗示的に区分されることができる。
【０６１２】
または、Ｐ−３用途であるか、またはＴＲＳ用途であるかに対する曖昧さ（ａｍｂｉｇｕｉｔｙ）を除去するために、ＴＲＳ用途のＣＳＩ−ＲＳリソースは、ＣＳＩ／ビーム管理フレームワークに含まれるリソース設定とは別に設定されるか、またはＴＲＳをＣＳＩ−ＲＳと区分されるＲＳと定義（即ち、互いに異なるアンテナポートと定義）することもできる。
【０６１３】
このとき、ＴＲＳリソース（またはポート）は、それぞれＣＳＩ／ビーム管理フレームワークで設定されるリソース設定またはリソースセット単位のＮＺＰ  ＣＳＩ−ＲＳリソースとＱＣＬリンケージが指示されることができる。
【０６１４】
即ち、ＣＳＩ−ＲＳビーム（グループ）別に精密な時間／周波数トラッキングのためのリソースがＱＣＬリンケージを介して設定されることができる。
【０６１５】
前記ＱＣＬリンケージは、ＣＳＩ−ＲＳビームに該当するＣＳＩ−ＲＳリソース（またはポートまたはビーム）の単位であってもよい。
【０６１６】
また、ビームフォーミングを介した同期化信号転送単位であるＳＳ（ｓｙｎｃｈｒｏｎｉｚａｔｉｏｎ  ｓｉｇｎａｌ）ブロック（グループ）単位でＴＲＳとのＱＣＬリンケージが指示（または設定）されることができる。
【０６１７】
さらに、ビーム及び／又はＴＲＰ（ｔｒａｎｓｍｉｓｓｉｏｎ  ｒｅｃｅｐｔｉｏｎ  ｐｏｉｎｔ）別の精密な時間／周波数トラッキングのために複数のＴＲＳリソースがＲＲＣに設定された場合、リソースのオーバーヘッドを調節するために（サービングビームに該当する）、特定のＴＲＳリソースのみ測定、受信、活性化、モニター、レートマッチングされるように指示されることができる。
【０６１８】
このような指示は、ＰＤＣＣＨ受信ビームの設定のためのＣＳＩ−ＲＳリソース（またはＳＳブロック）とＰＤＣＣＨ  ＤＭＲＳ間の空間ＱＣＬ指示の情報により暗示的に可能であり得る。
【０６１９】
即ち、ＰＤＣＣＨ受信のために特定のＣＳＩ−ＲＳリソース（またはＳＳブロック）とＰＤＣＣＨ  ＤＭＲＳとの間のＱＣＬ情報が（ＭＡＣ  ＣＥ等に）指示された場合、該当ＣＳＩ−ＲＳリソース（またはＳＳブロック）に対するＱＣＬ連結が既に設定されたＴＲＳリソースのみを受信、測定、活性化、レートマッチングするようにすることができる。
【０６２０】
複数個のＰＤＣＣＨ受信ビームが設定される場合、該当ＣＳＩ−ＲＳリソース（或いはＳＳブロック）の全てまたは一部（例えば、プライマリＰＤＣＣＨのみ限定）に対して連結されたＴＲＳリソースが受信、測定、活性化、モニター、レートマッチングされることができる。
【０６２１】
または、ＰＤＳＣＨビームを基準にＴＲＳリソースが受信、測定、活性化、モニター、レートマッチングされるように設定されることもできる。
【０６２２】
この場合、ＰＤＳＣＨビームは、ＤＣＩによってダイナミックに変更されることができる。従って、変更される可能性のある複数の候補ＣＳＩ−ＲＳ（或いはＳＳブロック）ビーム／リソースに対して連結されたＴＲＳが（全て）受信、測定、活性化、モニター、レートマッチングされるように設定されることもできる。
【０６２３】
前記候補ＣＳＩ−ＲＳ（或いはＳＳブロック）ビーム／リソースは、（ｉ）端末が報告した（複数個の）好むビームインデックス（例：ＣＲＩまたは、ＣＲＩ＋ｐｏｒｔ  ｓｅｌｅｃｔｉｏｎ  ＰＭＩ）により決定されるか、または（ｉｉ）基地局が直／間接的に指定することができる。
【０６２４】
ここで、（ｉｉ）の場合、ＴＲＳの受信、測定、活性化、モニター、レートマッチングを遂行するＴＲＳリソースが直接的に指示されるか、または間接的にＱＣＬリンケージされたＣＳＩ−ＲＳリソースまたはＳＳブロックが指示されることができる。
【０６２５】
もし、ＴＲＳリソースを間接的に指示する場合、該当ＣＳＩ−ＲＳ（またはＳＳブロック）は、ＰＤＳＣＨ転送が可能なＴＲＰ及び／又はビームの集合情報として指示されることができる。
【０６２６】
これは、ＰＤＳＣＨビームで指示可能なＣＳＩ−ＲＳ（またはＳＳブロック）リソース情報と一致することができる。
【０６２７】
例えば、１０個のＣＳＩ−ＲＳリソース（ビーム）がＲＲＣに設定された場合、（端末のビーム関連のフィードバック情報に応じて）ＭＡＣ  ＣＥにそのうち４個のＣＳＩ−ＲＳリソースを選択して指示した後、２  ｂｉｔ  ＤＣＩにダイナミックに４個のうち一つのＣＳＩ−ＲＳリソースをＰＤＳＣＨ  ＤＭＲＳとの（空間）ＱＣＬに指示することができる。
【０６２８】
このとき、前記ＭＡＣ  ＣＥに指示する４個のＣＳＩ−ＲＳリソースがＰＤＳＣＨ転送可能なビーム候補であるため、前記ＭＡＣ  ＣＥに指示されたＣＳＩ−ＲＳリソースとＱＣＬ設定されているＴＲＳリソースに対してのみＴＲＳ受信／測定／活性化／モニター／レートマッチングを遂行するようにし、残りの６個のＣＳＩ−ＲＳリソース（ビーム）とＱＣＬ設定されているＴＲＳリソースに対しては、ＴＲＳ受信／測定／活性化／モニター／レートマッチングを遂行しないようにすることができる。
【０６２９】
即ち、ＰＤＳＣＨ  ＤＭＲＳとＣＳＩ−ＲＳとの間の空間ＱＣＬ指示のために、ＭＡＣ  ＣＥに指示されるリソースと、ＱＣＬされた１ポート、高密度ＣＳＩ−ＲＳのみ（自動的に）活性化できる。
【０６３０】
このとき、該当ＴＲＳ（または１ポート高密度ＣＳＩ−ＲＳ）の転送周期及びスロットオフセットなどは、ＲＲＣに予め設定されることができる。
【０６３１】
前記レートマッチングの動作は、データ転送チャンネルであるＰＤＳＣＨまたはＰＵＳＣＨに対して、該当ＴＲＳ  ＲＥ（ｓ）を除いてＲＥマッピングを遂行することによって、該当ＴＲＳからデータチャンネルが受ける干渉及びデータチャンネルが該当ＴＲＳに及ぼす干渉を制御する動作を意味する。
【０６３２】
レートマッチングの観点から、干渉制御のために、ＰＤＣＣＨ／ＰＤＳＣＨビームだけでなく、該当ビームの周辺のビームまで含んでＴＲＳのレートマッチングが遂行されるようにすることもできる。
【０６３３】
指示（または設定）されたＰＤＣＣＨ／ＰＤＳＣＨビームＩＤ（例：ＰＤＣＣＨ／ＰＤＳＣＨ  ＤＭＲＳとｓｐａｔｉａｌ  ＱＣＬされたＣＳＩ−ＲＳリソースまたはＳＳブロックＩＤ）によって、レートマッチングを遂行すべきビームＩＤセットまたはＴＲＳセットがネットワークによって（ＲＲＣメッセージに）設定されるか、またはどんな規則（ｖｉａ  ｔａｂｌｅ、ｆｏｒｍｕｌａ等）として予め定義されることができる。
【０６３４】
例えば、ＰＤＣＣＨ／ＰＤＳＣＨ（候補）ビームで指示した（または端末によって報告された）ＣＲＩ（またはＳＳブロックＩＤ）＝Ｘであるとき、ＴＲＳのレートマッチングが遂行されるＣＳＩ−ＲＳリソースインデックス（またはＳＳブロックＩＤｓ）が設定されるか、または規則として予め定義されることができる。
【０６３５】
このとき、該当ＣＳＩ−ＲＳリソース（またはＳＳブロック）とＱＣＬされたＴＲＳは、レートマッチングされることができる。
【０６３６】
また別の例として、ＲＲＣに設定された複数のＴＲＳリソースのうち、レートマッチングを遂行するリソースは、ＭＡＣ  ＣＥ及び／又はＤＣＩを用いてより動的に直接的または間接的に指示されることができる。
【０６３７】
間接的に指示する方法は、ＤＣＩに最終指示するＰＤＳＣＨ候補ＣＳＩ−ＲＳビームをＭＡＣ  ＣＥにアップデートするとき、アップデートされたＰＤＳＣＨ候補ビーム及び（特定の規則またはＲＲＣ設定によって予め定義された）周辺のビームとＱＣＬされたＴＲＳをレートマッチングするようにすることができる。
【０６３８】
前記で、ＴＲＳの用途のＣＳＩ−ＲＳリソースとビーム管理／ＣＳＩ獲得用途のＣＳＩ−ＲＳリソースを明示的または暗示的に区分して設定する方法について見た。
【０６３９】
ここで、特定のＣＳＩ−ＲＳリソースは、複数の用途に対して用いられることができる。
【０６４０】
例えば、周期的、１ポート、高周波数密度、（ｍｕｌｔｉ−ｓｙｍｂｏｌ）の特徴を有するＣＳＩ−ＲＳリソースをリソース設定を介して設定を受けた端末は、該当リソースを介して、（受信）ビームの選択／補正をしたり（またはしながら同時に）時間／周波数トラッキングのために用いることができる。
【０６４１】
この場合、前記で見た内容は、ＴＲＳ専用（ｄｅｄｉｃａｔｅｄ）ではないＴＲＳ兼用のリソースとも解釈可能である。
【０６４２】
前記で見た１ポート、短い周期、スロット内のｍｕｌｔｉ−ｓｙｍｂｏｌ、周波数密度＞１の特徴を有するＣＳＩ−ＲＳリソースと解釈され得る。
【０６４３】
前記では、基地局が端末にＴＲＳを設定する方法について具体的に見た。
【０６４４】
以下で、基地局がＴＲＳ密度／パターンを決定するために助ける情報（例：助け情報）を端末が報告する方法についてさらに見る。
【０６４５】
このような助け情報の例示として、ＵＥ  ｒｅｃｅｉｖｅｒ  ｃａｐａｂｉｌｉｔｙ及び／又はｃｈａｎｎｅｌ  ｅｓｔｉｍａｔｏｒ  ｃａｐａｂｉｌｉｔｙ情報（例えば、２Ｄ補間可否、正確度等）が考慮されることができる。
【０６４６】
前記助け情報は、制御情報、補助情報等で表現されることもできる。
【０６４７】
端末のチャンネルの推定時、時間領域と周波数領域に２Ｄ補間を遂行する端末の場合、ドップラーの推定のために一つのスロット内に複数個のシンボルにＴＲＳを転送する必要があるが、そうでない端末の場合、単一のシンボルにＴＲＳを転送するだけでも充分である。
【０６４８】
前記助け情報の一例として、時間／周波数のＴＲＳ密度（或いはパターン）情報を考慮することができる。
【０６４９】
前記時間密度の情報は、ドップラー拡散の程度または端末の移動速度の情報に代替されることもできる。
【０６５０】
また、周波数密度の情報は、遅延拡散の程度に代替されることもできる。
【０６５１】
複数個のＣＳＩ−ＲＳリソースを（同一または連続的なスロット内で）アグリゲーション（ａｇｇｒｅｇａｔｉｏｎ）してＴＲＳを設定する場合、好むＣＳＩ−ＲＳリソース（セット）情報を基地局に転送して要求する時間（及び／又は周波数）密度及びパターンの情報を報告することもできる。
【０６５２】
例えば、ＣＳＩ−ＲＳリソース１（６ｔｈ  ｓｙｍｂｏｌ）及びＣＳＩ−ＲＳリソース２（１２ｔｈ  ｓｙｍｂｏｌ）がＴＲＳ用途に指示された場合、端末は｛１｝、｛２｝、｛１，２｝のうち要求されるリソース（組み合わせ）を選択して基地局に報告することもできる。
【０６５３】
ここで、互いに異なるＣＳＩ−ＲＳリソースは、互いに異なる時間／周波数密度を有することもでき、このうち一つ（或いは多数個）のリソースを選択することによって要求される密度を報告する効果を得ることができる。
【０６５４】
また、前記助け情報は、ＴＲＳ帯域幅情報、要求されるＴＲＳ転送周期情報等を考慮することができる。
【０６５５】
また、前記で見た助け情報に対する例示の任意の組み合わせを通じて、該当助け情報が構成されることもできる。。
【０６５６】
前記助け情報は、ＵＥ  ｃａｐａｂｉｌｉｔｙ  ｓｉｇｎａｌｉｎｇのように、ＵＥがネットワークの接続時に報告（または転送）する情報であるか、またはＲＲＣ連結の確立後にｏｎ−ｄｅｍａｎｄで要求する情報であり得る。
【０６５７】
後者（ＵＥ  ｃａｐａｂｉｌｉｔｙ）の場合、基地局が既に設定した（ｄｅｆａｕｌｔ）ＴＲＳのＢＷ、時間／周波数密度、周期等が端末に不十分であるか、または既に設定したＴＲＳがない場合、端末がＵＬ信号を基地局に転送し、ＴＲＳ設定（または転送）の要求及び／又は密度、周期、ＢＷ調整等に対する要求を遂行することができる。
【０６５８】
ここで、前記ＵＬ信号は、ＰＲＡＣＨやビーム失敗復旧用ＵＬチャンネル（例：ＰＲＡＣＨを有するＦＤＭｅｄ／ＣＤＭｅｄチャンネル、ＰＵＣＣＨの特定のフォーマット（以下、便宜上「ＢＲＣＨ」と呼ぶこととする））を介して転送されることができる。
【０６５９】
この場合、下記の三つの手続が全て可能であり得る。
【０６６０】
（手続１）：ＰＲＡＣＨ／ＢＲＣＨを介してＵＬ信号を転送した後、端末が基地局から応答と共にＰＵＳＣＨリソースの設定を受けると、前記端末は、前記設定を受けたＰＵＳＣＨリソースを介して、ＴＲＳ設定の要求及び／又は密度、周期、ＢＷ調整の情報を前記基地局に転送することができる。
【０６６１】
（手続２）：ＰＲＡＣＨ／ＢＲＣＨに前記目的の別途のリソースを定義し、（前記リソースはＰＲＡＣＨ／ＢＲＣＨリソースとＣＤＭ、ＦＤＭ、及び／又はＴＤＭされるか、メッセージフィールドを介して区分されることができる）、端末が前記リソースを介して転送するＵＬ信号を介して、基地局はＴＲＳ設定の要求及び／又は密度、周期、ＢＷ調整要求の情報を端末から受信することができる。
【０６６２】
（手続３）：ＰＲＡＣＨ／ＢＲＣＨに前記目的の別途のリソースを定義し（前記リソースはＰＲＡＣＨ／ＢＲＣＨリソースとＣＤＭ、ＦＤＭ及び／又はＴＤＭされるか、メッセージフィールドを介して区分されることができる）、端末が前記リソースを介して転送する信号を介して基地局はＴＲＳ設定の要求を受信し、端末に詳細要求の情報を転送すべきＰＵＳＣＨリソースを割り当てることができる。
【０６６３】
端末は、前記割り当てられたＰＵＳＣＨリソースを介して要求される密度、周期、ＢＷ（調整）の情報を転送することができる。
【０６６４】
また別の一例として、前記ＵＬ信号は、ｐｏｗｅｒ  ｈｅａｄｒｏｏｍ  ｒｅｐｏｒｔ（ＰＨＲ）及び／又はバッファー状況報告（ｂｕｆｆｅｒ  ｓｔａｔｕｓ  ｒｅｐｏｒｔ）等のような特定のＵＬ信号を転送する形態で共に転送するか、または別途に転送されるように定義されることができる。
【０６６５】
また、前記情報の報告トリガリング条件（ｒｅｐｏｒｔｉｎｇ  ｔｒｉｇｇｅｒｉｎｇ  ｃｏｎｄｉｔｉｏｎ）は、別途に定義されることができる。
【０６６６】
図２０は、本明細書で提案する時間／周波数トラッキングのための基地局の動作を示すフローチャートである。
【０６６７】
まず、基地局は、ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を設定する（Ｓ２０１０）。
【０６６８】
ここで、前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられることができる。
【０６６９】
即ち、前記トラッキング用途のＣＳＩ−ＲＳは、「ＴＲＳ（ｔｒａｃｋｉｎｇ  ＲＳ）」と呼ばれることができる。
【０６７０】
また、前記基地局は、設定された制御情報を端末に転送する（Ｓ２０２０）。
【０６７１】
さらに、前記基地局は、前記全てのＣＳＩ−ＲＳリソースを介して、前記ＣＳＩ−ＲＳを端末に転送する（Ｓ２０３０）。
【０６７２】
特に、前記アンテナポートは、１−ポートであり得、前記端末は、ＲＲＣ連結状態（ｃｏｎｎｅｃｔｅｄ  ｓｔａｔｅ）であり得る。
【０６７３】
前記全てのＣＳＩ−ＲＳリソースは、同一の周期（ｐｅｒｉｏｄｉｃｉｔｙ）に設定されることができる。
【０６７４】
前記全てのＣＳＩ−ＲＳリソースは、一つのスロット（ｓｌｏｔ）または複数のスロットで設定されることができ、前記複数のスロットは、連続的な（ｃｏｎｓｅｃｕｔｉｖｅ）スロットであり得る。
【０６７５】
前記全てのＣＳＩ−ＲＳリソースが前記一つのスロットで設定される場合、前記ＣＳＩ−ＲＳリソースに対するシンボル位置（ｓｙｍｂｏｌ  ｌｏｃａｔｉｏｎ）は互いに異なることができる。
【０６７６】
前記全てのＣＳＩ−ＲＳリソースのそれぞれに対する周波数領域の密度（ｄｅｎｓｉｔｙ）は１よりも大きいことができる。
【０６７７】
前記ＣＳＩ−ＲＳリソースセット（ｒｅｓｏｕｒｃｅ  ｓｅｔ）は前記トラッキング及びビーム管理（ｂｅａｍ  ｍａｎａｇｅｍｅｎｔ）の両方（ｂｏｔｈ）のために設定されない。
【０６７８】
また、前記トラッキングのために用いられるＣＳＩ−ＲＳリソースは、ＣＳＩ獲得（ａｃｑｕｉｓｉｔｉｏｎ）のために用いられるＣＳＩ−ＲＳリソース、ビーム管理のために用いられるＣＳＩ−ＲＳリソースまたはＳＳＢ（ＳＳ／ＰＢＣＨブロック）とＱＣＬ（ｑｕａｓｉ  ｃｏ−ｌｏｃａｔｉｎｇ）設定されることができる。
【０６７９】
前記ＣＳＩ−ＲＳは周期的（ｐｅｒｉｏｄｉｃ）ＣＳＩ−ＲＳであり得る。
【０６８０】
また、前記ＣＳＩ−ＲＳと関連した時間領域測定制限（ｔｉｍｅ  ｄｏｍａｉｎ  ｍｅａｓｕｒｅｍｅｎｔ  ｒｅｓｔｒｉｃｔｉｏｎ）は、「オフ（ＯＦＦ）」に設定されることができる。
【０６８１】
さらに、周期的ＣＳＩ−ＲＳに対するＣＳＩ−ＲＳリソースセットは、報告設定（ｒｅｐｏｒｔ  ｓｅｔｔｉｎｇ）とリンケージ（ｌｉｎｋａｇｅ）が設定されない。
【０６８２】
また、前記ＣＳＩ−ＲＳリソースセットは、特定の報告設定（ｒｅｐｏｒｔｓｅｔｔｉｎｇ）とリンケージ（ｌｉｎｋａｇｅ）が設定されることができ、前記特定の報告設定（ｒｅｐｏｒｔ  ｓｅｔｔｉｎｇ）は、ナル報告設定（ｎｕｌｌ  ｒｅｐｏｒｔｉｎｇ  ｓｅｔｔｉｎｇ）であり得る。
【０６８３】
さらに、前記基地局は、前記ＣＳＩ−ＲＳの時間領域（ｔｉｍｅ  ｄｏｍａｉｎ）に対する密度（ｄｅｎｓｉｔｙ）と関連した情報を前記端末から受信することができる。
【０６８４】
このとき、前記時間領域（ｔｉｍｅ  ｄｏｍａｉｎ）は同一のスロット（ｓｌｏｔ）または連続的なスロットであり得る。
【０６８５】
図２１は、本明細書で提案する時間／周波数トラッキングのための端末の動作を示すフローチャートである。
【０６８６】
まず、端末は、ＣＳＩ−ＲＳリソースセット（ｒｅｓｏｕｒｃｅ  ｓｅｔ）に含まれる全てのＣＳＩ−ＲＳリソース（ｒｅｓｏｕｒｃｅ）に対するアンテナポートが同一であることを示す制御情報を基地局から受信する（Ｓ２１１０）。
【０６８７】
ここで、前記ＣＳＩ−ＲＳリソースセットは、時間（ｔｉｍｅ）または周波数（ｆｒｅｑｕｅｎｃｙ）のうちの少なくとも一つのトラッキング（ｔｒａｃｋｉｎｇ）のために用いられることができる。
【０６８８】
また、前記端末は、前記全てのＣＳＩ−ＲＳ  ＣＳＩ−ＲＳリソース（ｒｅｓｏｕｒｃｅ）を介して前記ＣＳＩ−ＲＳを前記基地よくから受信する（Ｓ２１２０）。
【０６８９】
ここで、前記全てのＣＳＩ−ＲＳリソースに対するアンテナポート（ａｎｔｅｎｎａ  ｐｏｒｔ）は同一に設定されることができる。
【０６９０】
特に、前記アンテナポートは１−ｐｏｒｔであり得、前記端末の状態はＲＲＣ連結状態（ｃｏｎｎｅｃｔｅｄ  ｓｔａｔｅ）であり得る。
【０６９１】
前記全てのＣＳＩ−ＲＳリソースに対する周期（ｐｅｒｉｏｄｉｃｉｔｙ）は同一に設定されることができる。
【０６９２】
前記全てのＣＳＩ−ＲＳリソースは、一つのスロット（ｓｌｏｔ）または複数のスロットで設定されることができ、前記複数のスロットは、連続的な（ｃｏｎｓｅｃｕｔｉｖｅ）スロットであり得る。
【０６９３】
前記全てのＣＳＩ−ＲＳリソースが前記一つのスロットで設定される場合、前記ＣＳＩ−ＲＳリソースに対するシンボル位置（ｓｙｍｂｏｌ  ｌｏｃａｔｉｏｎ）は互いに異なることができる。
【０６９４】
前記全てのＣＳＩ−ＲＳリソースは、それぞれに対する周波数領域密度（ｄｅｎｓｉｔｙ）は１より大きいことができる。
【０６９５】
前記ＣＳＩ−ＲＳリソースセット（ｒｅｓｏｕｒｃｅ  ｓｅｔ）は、前記トラッキング及びビーム管理（ｂｅａｍ  ｍａｎａｇｅｍｅｎｔ）の両方（ｂｏｔｈ）のために設定されない。
【０６９６】
また、前記トラッキングのために用いられるＣＳＩ−ＲＳリソースは、ＣＳＩ獲得（ａｃｑｕｉｓｉｔｉｏｎ）またはビーム管理のために用いられるＣＳＩ−ＲＳリソースとＱＣＬ（ｑｕａｓｉ  ｃｏ−ｌｏｃａｔｉｎｇ）設定されることができる。
【０６９７】
前記ＣＳＩ−ＲＳは周期的（ｐｅｒｉｏｄｉｃ）ＣＳＩ−ＲＳであり得る。
【０６９８】
また、前記端末は、前記受信されたＣＳＩ−ＲＳに基づき、時間または周波数のうちの少なくとも一つに対するトラッキングを遂行する（Ｓ２１３０）。
【０６９９】
本発明が適用されることができる装置一般
【０７００】
図２２は、本明細書で提案する方法が適用されることができる無線通信装置のブロック構成図を例示する。
【０７０１】
図２２を参照すると、無線通信システムは基地局２２１０と基地局領域内に位置した多数の端末２２２０とを含む。
【０７０２】
前記基地局と端末は、それぞれ無線装置で表現されることもできる。
【０７０３】
基地局は、プロセッサ（ｐｒｏｃｅｓｓｏｒ）２２１１、メモリ（ｍｅｍｏｒｙ）２２１２、及びＲＦモジュール（ｒａｄｉｏ  ｆｒｅｑｕｅｎｃｙ  ｍｏｄｕｌｅ）１６１３を含む。プロセッサ２２１１は、前記図１乃至図２１で提案された機能、過程及び／又は方法を具現する。無線インターフェースプロトコルの層は、プロセッサにより具現されることができる。メモリはプロセッサと連結され、プロセッサを駆動するための多様な情報を格納する。ＲＦモジュールはプロセッサと連結され、無線信号を送信及び／又は受信する。
【０７０４】
端末は、プロセッサ２２２１、メモリ２２２２、及びＲＦモジュール２２２３を含む。
【０７０５】
プロセッサは、前記図１乃至図２１で提案された機能、過程及び／又は方法を具現する。無線インターフェースプロトコルの層は、プロセッサにより具現されることができる。メモリはプロセッサと連結され、プロセッサを駆動するための多様な情報を格納する。ＲＦモジュールはプロセッサと連結され、無線信号を送信及び／又は受信する。
【０７０６】
メモリ２２１２、２２２２は、プロセッサ２２１１、２２２１の内部または外部にあり得、よく知られている多様な手段でプロセッサと連結されることができる。
【０７０７】
また、基地局及び／又は端末は、一つのアンテナ（ｓｉｎｇｌｅ  ａｎｔｅｎｎａ）または多重アンテナ（ｍｕｌｔｉｐｌｅ  ａｎｔｅｎｎａ）を有することができる。
【０７０８】
アンテナ２２１４、２２２４は、無線信号を送信及び受信する機能をする。
【０７０９】
図２３は、本発明の一実施例に係る通信装置のブロック構成図を例示する。
【０７１０】
特に、図２３は、前記図２２の端末をより詳細に例示する図である。
【０７１１】
図２３を参照すると、端末はプロセッサ（またはデジタル信号プロセッサ（ＤＳＰ：ｄｉｇｉｔａｌ  ｓｉｇｎａｌ  ｐｒｏｃｅｓｓｏｒ）２３１０、ＲＦモジュール（ＲＦ  ｍｏｄｕｌｅ）（またはＲＦユニット）２３３５、パワー管理モジュール（ｐｏｗｅｒ  ｍａｎａｇｅｍｅｎｔ  ｍｏｄｕｌｅ）２３０５、アンテナ（ａｎｔｅｎｎａ）２３４０、バッテリー（ｂａｔｔｅｒｙ）２３５５、ディスプレイ（ｄｉｓｐｌａｙ）２３１５、キーパッド（ｋｅｙｐａｄ）２３２０、メモリ（ｍｅｍｏｒｙ）２３３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）２３２５（この構成は選択的である）、スピーカー（ｓｐｅａｋｅｒ）２３４５、及びマイクロフォン（ｍｉｃｒｏｐｈｏｎｅ）２３５０を含んで構成されることができる。端末はまた、単一のアンテナまたは多重のアンテナを含むことができる。
【０７１２】
プロセッサ２３１０は、前記図１乃至図２１で提案された機能、過程及び／又は方法を具現する。無線インターフェースプロトコルの層は、プロセッサにより具現されることができる。
【０７１３】
メモリ２３３０はプロセッサと連結され、プロセッサの動作と関連した情報を格納する。メモリはプロセッサの内部または外部にあり得、よく知られている多様な手段でプロセッサと連結されることができる。
【０７１４】
ユーザは、例えば、キーパッド２３２０のボタンを押すか（或いはタッチするか）、またはマイクロフォン２３５０を用いた音声駆動（ｖｏｉｃｅ  ａｃｔｉｖａｔｉｏｎ）によって電話番号などのような命令情報を入力する。プロセッサは、このような命令情報を受信し、電話番号に電話をかけるなど、適切な機能を遂行するように処理する。駆動上のデータ（ｏｐｅｒａｔｉｏｎａｌｄａｔａ）は、ＳＩＭカード２３２５またはメモリ２３３０から抽出することができる。また、プロセッサは、ユーザが認知し、また便宜のために命令情報または駆動情報をディスプレイ２３１５上にディスプレイすることができる。
【０７１５】
ＲＦモジュール２３３５はプロセッサに連結され、ＲＦ信号を送信及び／又は受信する。プロセッサは通信を開始するために、例えば、音声通信データを構成する無線信号を転送するように命令情報をＲＦモジュールに伝達する。ＲＦモジュールは、無線信号を受信及び送信するために、受信機（ｒｅｃｅｉｖｅｒ）及び送信機（ｔｒａｎｓｍｉｔｔｅｒ）で構成される。アンテナ２３４０は、無線信号を送信及び受信する機能をする。無線信号を受信するとき、ＲＦモジュールはプロセッサにより処理するために信号を伝達し、基底帯域に信号を変換することができる。処理された信号は、スピーカー２３４５を介して出力される可聴または可読情報に変換されることができる。
【０７１６】
図２４は、本明細書で提案する方法が適用されることができる無線通信装置のＲＦモジュールの一例を示す図である。
【０７１７】
具体的に、図２４は、ＦＤＤ（Ｆｒｅｑｕｅｎｃｙ  Ｄｉｖｉｓｉｏｎ  Ｄｕｐｌｅｘ）システムで具現できるＲＦモジュールの一例を示す。
【０７１８】
まず、転送経路で、図２２及び図２３で記述されたプロセッサは、転送されるデータをプロセッシングして、アナログ出力信号を送信機２４１０に提供する。
【０７１９】
送信機２４１０内で、アナログ出力信号は、デジタル対アナログの変換（ＡＤＣ）により引き起こされるイメージを除去するために、低域通過フィルタ（Ｌｏｗ  Ｐａｓｓ  Ｆｉｌｔｅｒ、ＬＰＦ）２４１１によりフィルタリングされ、アップコンバート（Ｍｉｘｅｒ）２４１２により基底帯域からＲＦにアップコンバージョンし、可変利得増幅器（Ｖａｒｉａｂｌｅ  Ｇａｉｎ  Ａｍｐｌｉｆｉｅｒ、ＶＧＡ）２４１３により増幅され、増幅された信号は、フィルタ２４１４によりフィルタリングされ、電力増幅器（Ｐｏｗｅｒ  Ａｍｐｌｉｆｉｅｒ、ＰＡ）２４１５によりさらに増幅され、デュプレクサ２４５０／アンテナスイッチ２４６０を介してルーティングされ、アンテナ２４７０を介して転送される。
【０７２０】
また、受信経路で、アンテナは外部から信号を受信して受信された信号を提供し、この信号はアンテナスイッチ２４６０／デュプレクサ２４５０を介してルーティングされ、受信機２４２０に提供される。
【０７２１】
受信機２４２０内で、受信された信号は低雑音増幅器（Ｌｏｗ  ＮｏｉｓｅＡｍｐｌｉｆｉｅｒ、ＬＮＡ）２４２３により増幅され、帯域通過フィルタ２４２４によりフィルタリングされ、ダウンコンバート（Ｍｉｘｅｒ）２４２５によりＲＦから基底帯域にダウンコンバージョンする。
【０７２２】
前記ダウンコンバージョンした信号は、低域通過フィルタ（ＬＰＦ）２４２６によりフィルタリングされ、ＶＧＡ２４２７により増幅されてアナログ入力信号を獲得し、これは、図２２及び図２３で記述されたプロセッサに提供される。
【０７２３】
また、局部発振器 （ｌｏｃａｌ  ｏｓｃｉｌｌａｔｏｒ、ＬＯ）発生器２４４０は、送信及び受信のＬＯ信号を発生及びアップコンバート２４１２及びダウンコンバート２４２５にそれぞれ提供する。
【０７２４】
さらに、位相ロックループ（Ｐｈａｓｅ  Ｌｏｃｋｅｄ  Ｌｏｏｐ、ＰＬＬ）２４３０は、適切な周波数で送信及び受信のＬＯ信号を生成するために、プロセッサから制御情報を受信し、制御信号をＬＯ発生器２４４０に提供する。
【０７２５】
また、図２４に示された回路は図２４に示された構成と異なって配列されることもできる。
【０７２６】
図２５は、本明細書で提案する方法が適用されることができる無線通信装置のＲＦモジュールのまた別の一例を示す図である。
【０７２７】
具体的に、図２５はＴＤＤ（Ｔｉｍｅ  Ｄｉｖｉｓｉｏｎ  Ｄｕｐｌｅｘ）システムで具現できるＲＦモジュールの一例を示す。
【０７２８】
ＴＤＤシステムにおけるＦＲモジュールの送信機２５１０及び受信機２５２０は、ＦＤＤシステムにおけるＲＦモジュールの送信機及び受信機の構造と同一である。
【０７２９】
以下、ＴＤＤシステムのＲＦモジュールは、ＦＤＤシステムのＲＦモジュールと差のある構造についてのみ見ることとし、同一の構造については図２４の説明を参照することとする。
【０７３０】
送信機の電力増幅器（Ｐｏｗｅｒ  Ａｍｐｌｉｆｉｅｒ、ＰＡ）２５１５により増幅された信号は、バンド選択スイッチ（Ｂａｎｄ  Ｓｅｌｅｃｔ  Ｓｗｉｔｃｈ）２５５０、バンド通過フィルタ（ＢＰＦ）２５６０、及びアンテナスイッチ２５７０を介してルーティングされ、アンテナ２５８０を介して転送される。
【０７３１】
また、受信経路で、アンテナは外部から信号を受信し、受信された信号を提供し、この信号はアンテナスイッチ２５７０、バンド通過フィルタ２５６０、及びバンド選択スイッチ２５５０を介してルーティングされ、受信機２５２０に提供される。
【０７３２】
以上で説明された実施例は、本発明の構成要素と特徴が所定の形態で結合されたものである。各構成要素または特徴は、別途の明示的言及がない限り、選択的なものと考慮されるべきである。各構成要素または特徴は他の構成要素や特徴と結合されていない形態で実施されることができる。また、一部構成要素及び／又は特徴を結合し、本発明の実施例を構成することも可能である。本発明の実施例で説明される動作の順序は変更され得る。ある実施例の一部構成や特徴は、他の実施例に含まれてもよく、または他の実施例の対応する構成または特徴と交換されてもよい。特許請求範囲で明示的な引用関係がない請求項を結合して実施例を構成するか、出願後の補正により新たな請求項に含ませることができることは自明である。
【０７３３】
本発明に係る実施例は、多様な手段、例えば、ハードウェア、ファームウェア（ｆｉｒｍｗａｒｅ）、ソフトウェアまたはそれらの結合等により具現できる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサ等により具現できる。
【０７３４】
ファームウェアやソフトウェアによる具現の場合、本発明の一実施例は、以上で説明された機能または動作を遂行するモジュール、手続、関数などの形態で具現できる。ソフトウェアのコードは、メモリに格納され、プロセッサにより駆動できる。前記メモリは、前記プロセッサの内部または外部に位置し、既に公知となった多様な手段により前記プロセッサとデータをやり取りすることができる。
【０７３５】
本発明は、本発明の必須的特徴を外れない範囲で他の特定の形態で具体化できることは通常の技術者にとって自明である。従って、前述した詳細な説明は、全ての面で制限的に解釈されてはならず、例示的なものと考慮されるべきである。本発明の範囲は、添付された請求項の合理的解釈によって決定されなければならず、本発明の等価的範囲内での全ての変更は、本発明の範囲に含まれる。
【産業上の利用可能性】
【０７３６】
本発明の無線通信システムで参照信号をマッピングする案は、３ＧＰＰ  ＬＴＥ／ＬＴＥ−Ａシステム、５Ｇシステム（Ｎｅｗ  ＲＡＴシステム）に適用される例を中心に説明したが、以外にも多様な無線通信システムに適用することが可能である。
【図１】
2020519214.tif 000056
【図２】
2020519214.tif 000057
【図３】
2020519214.tif 000058
【図４】
2020519214.tif 000059
【図５】
2020519214.tif 000060
【図６】
2020519214.tif 000061
【図７】
2020519214.tif 000062
【図８】
2020519214.tif 000063
【図９】
2020519214.tif 000064
【図１０】
2020519214.tif 000065
【図１１】
2020519214.tif 000066
【図１２】
2020519214.tif 000067
【図１３】
2020519214.tif 000068
【図１４】
2020519214.tif 000069
【図１５】
2020519214.tif 000070
【図１６】
2020519214.tif 000071
【図１７】
2020519214.tif 000072
【図１８】
2020519214.tif 000073
【図１９】
2020519214.tif 000074
【図２０】
2020519214.tif 000075
【図２１】
2020519214.tif 000076
【図２２】
2020519214.tif 000077
【図２３】
2020519214.tif 000078
【図２４】
2020519214.tif 000079
【図２５】
2020519214.tif 000080
【手続補正書】
【提出日】令和1年10月30日(2019.10.30)
【手続補正１】
【補正対象書類名】明細書
【補正対象項目名】０１４７
【補正方法】変更
【補正の内容】
【０１４７】
【表４】
2020519214.tif 000081
【手続補正２】
【補正対象書類名】明細書
【補正対象項目名】０１６５
【補正方法】変更
【補正の内容】
【０１６５】
【表６】
2020519214.tif 000082
【手続補正３】
【補正対象書類名】明細書
【補正対象項目名】０２７０
【補正方法】変更
【補正の内容】
【０２７０】
【表８】
2020519214.tif 000083
【手続補正４】
【補正対象書類名】明細書
【補正対象項目名】０３０６
【補正方法】変更
【補正の内容】
【０３０６】
【表９−１】
2020519214.tif 000084
【手続補正５】
【補正対象書類名】明細書
【補正対象項目名】０３０７
【補正方法】変更
【補正の内容】
【０３０７】
【表９−２】
2020519214.tif 000085
【手続補正６】
【補正対象書類名】明細書
【補正対象項目名】０４９５
【補正方法】変更
【補正の内容】
【０４９５】
【表１１】
2020519214.tif 000086
【手続補正７】
【補正対象書類名】明細書
【補正対象項目名】０５０２
【補正方法】変更
【補正の内容】
【０５０２】
【表１２】
2020519214.tif 000087
【国際調査報告】
2020519214.tif 000088
2020519214.tif 000089
2020519214.tif 000090
2020519214.tif 000091
2020519214.tif 000092
2020519214.tif 000093